(57)【要約】セルラー通信システムにおいてホストセルを提供するネットワークノードは、第１の時間間隔で、無線周波数スペクトルの第１の帯域幅にわたる制御チャネルで第１の制御チャネル情報を送信する。第１の制御チャネルは、第１の種類の通信デバイスがホストセルからデータを受信できるようにするために必要な情報を通信する。第１の種類の通信デバイスは、第１の帯域幅の幅を示す信号を受信できる。第２の時間間隔で、第２の制御チャネル情報は、第１のＭ−セルの第２の制御チャネルで送信される。第２の制御チャネルは、第１の帯域幅より狭い第２の帯域幅を占有する。第２の時間間隔は、第１の時間間隔のいずれとも一致しない。従って、第１の種類の通信デバイスの受信可能帯域幅より狭い受信可能帯域幅を有する第２の種類の通信デバイスをノードにより提供することが可能になる。
2014526159.tif 000002
【特許請求の範囲】
【請求項１】
セルラー通信システムにおいてホストセルにサービスを提供するネットワークノードを動作させる方法であって、
１つ以上の第１タイムインターバルにおいて、無線周波数スペクトラムの第１帯域幅にわたって延在する第１制御チャネルで第１制御チャネル情報を送信するステップであって、当該第１制御チャネルは第１タイプの通信デバイスに前記ホストセルからのデータを受信させるために必要となる情報を通信するものであり、当該第１タイプの通信デバイスは前記無線周波数スペクトラムにおける前記第１帯域幅を有する信号を受信できるものである、前記ステップと、
１つ以上の第２タイムインターバルにおいて、第１のＭ−セルの第２制御チャネルで第２制御チャネル情報を送信するステップであって、当該第２制御チャネルは前記無線周波数スペクトラムの第２帯域幅を占有しており、前記第２帯域幅は前記第１帯域幅よりも狭く、前記１つ以上の第２タイムインターバルは前記１つ以上の第１タイムインターバルのいずれとも重複しておらず、これにより前記第１タイプの通信デバイスの受信可能帯域幅と比較して狭い受信可能帯域幅を有する第２タイプの通信デバイスが前記ネットワークノードによってサービスを提供されるようになる、前記ステップと
を有することを特徴とする方法。
【請求項２】
前記無線周波数スペクトラムの前記第２帯域幅は、前記無線周波数スペクトラムの前記第１帯域幅における周波数上の位置内に配置されていることを特徴とする請求項１に記載の方法。
【請求項３】
前記第２タイプの通信デバイスに情報を送信するステップをさらに有し、
前記情報は前記１つ以上の第２タイムインターバルが何であるかを通知する情報であることを特徴とする請求項１または２に記載の方法。
【請求項４】
前記第２タイプの通信デバイスに情報を送信するステップをさらに有し、
前記情報は前記無線周波数スペクトラムにおけるどの部分に前記無線周波数スペクトラムにおける前記第２帯域幅が配置されているかを通知する情報であることを特徴とする請求項１ないし３のいずれか１項に記載の方法。
【請求項５】
前記無線周波数スペクトラムにおけるどの部分に前記無線周波数スペクトラムにおける前記第２帯域幅が配置されているかを通知する前記情報は、前記無線周波数スペクトラムにおける第３帯域幅を占有するチャネル上で送信され、当該第３帯域幅は前記第１帯域幅よりも狭く、前記無線周波数スペクトラムの前記第２帯域幅の周波数上の位置は前記無線周波数スペクトラムの前記第３帯域幅の周波数上の位置と異なっていることを特徴とする請求項４に記載の方法。
【請求項６】
前記セルラー通信システムのエアインタフェースは連続したフレームに分割されており、各フレームは複数の連続したサブフレームを有しており、前記１つ以上の第１タイムインターバルはフレーム内の１つ以上のサブフレームにおいて生じ、前記１つ以上の第２タイムインターバルは当該フレーム内の他の１つ以上のサブフレームにおいて生じ、当該他の１つ以上のサブフレームは、前記無線周波数スペクトラムの前記第１帯域幅にわたって延在する制御チャネルで情報を送信するためには使用されないサブフレームであることを特徴とする請求項１ないし５のいずれか１項に記載の方法。
【請求項７】
前記フレームにおける前記他の１つ以上のサブフレームのうちの１つのサブフレームにおいて送信される前記第２の制御チャネル情報は、前記第２タイプの通信デバイスについての１つ以上のダウンリンク物理データチャネルとして使用される前記他の１つ以上のサブフレームのうちの１つのサブフレーム内における１つ以上のタイムインターバルおよび／または周波数を示していることを特徴とする請求項６に記載の方法。
【請求項８】
前記フレームにおける前記他の１つ以上のサブフレームのうちの１つのサブフレームにおいて送信される前記第２の制御チャネル情報は、前記第２タイプの通信デバイスについての１つ以上のダウンリンク物理データチャネルとして使用される前記他の１つ以上のサブフレームのうちの１つのサブフレーム内でより後の１つ以上のタイムインターバルおよび／または周波数を示していることを特徴とする請求項６に記載の方法。
【請求項９】
前記他の１つ以上のサブフレームの間は前記第１タイプの通信デバイスが前記第１制御チャネルの受信を試行しないようにするために、前記第１タイプの通信デバイスに対して信号を送信するステップをさらに有することを特徴とする請求項６に記載の方法。
【請求項１０】
前記セルラー通信システムのエアインタフェースは連続したフレームに分割されており、各フレームは複数の連続したサブフレームを有しており、
前記１つ以上の第１タイムインターバルはフレーム内の１つ以上のサブフレームにおいて生じ、
前記１つ以上の第２タイムインターバルは当該フレーム内の当該１つ以上のサブフレーム内の異なる時間において生じ、
前記１つ以上の第１タイムインターバルのいずれもが前記第２タイムインターバルのいずれとも重複していないことを特徴とする請求項１ないし４のいずれか１項に記載の方法。
【請求項１１】
システム情報を送信するステップをさらに有し、
当該システム情報は、前記第２タイプの通信デバイスに対して、
第１のＭ−セルにおけるランダムアクセスチャネルにアクセスするときに使用されるランダムアクセスパラメータと、
Ｍ−セルのサブフレームパターンであって、前記サブフレームパターンに関連付けられている各Ｍ−セルは前記第２帯域幅を有する前記無線周波数スペクトラムにおける予約された部分に対応している、当該サブフレームパターンと、
ホストセルのサブフレームパターンと、
ホストセルの前記サブフレームパターンを演繹的に推定可能にする情報と
のうち１つ以上を通知する情報であることを特徴とする請求項１ないし１０のいずれか１項に記載の方法。
【請求項１２】
ランダムアクセス送信信号を受信するステップと、
前記ランダムアクセス送信信号が前記第２タイプの通信デバイスからものであるか判定し、前記ランダムアクセス送信信号が前記第２タイプの通信デバイスからものであれば、前記無線周波数スペクトラムの前記第２帯域幅の時間上の位置および／または周波数上の位置を識別する情報を前記第２タイプの通信デバイスに送信することによって、当該第２タイプの通信デバイスをＭ−セルに配置させるステップと
をさらに有することを特徴とする請求項１に記載の方法。
【請求項１３】
１つ以上の第３タイムインターバルにおいて、前記第１のＭ−セルの第３制御チャネルで第３制御チャネル情報を送信するステップをさらに有し、前記第３制御チャネル情報は前記第２タイプの通信デバイスによって受信されることを意図された情報であり、前記１つ以上の第３タイムインターバルは、前記１つ以上の第１タイムインターバルまたは前記１つ以上の第２タイムインターバルのいずれとも重複していないことを特徴とする請求項１ないし１２のいずれか１項に記載の方法。
【請求項１４】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の当該サブフレーム内の他の１つ以上のタイムインターバルにおいて生じることを特徴とする請求項１３に記載の方法。
【請求項１５】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の他のサブフレーム内における１つ以上のタイムインターバルにおいて生じることを特徴とする請求項１３に記載の方法。
【請求項１６】
前記セルラー通信システムのエアインタフェースは連続したフレームに分割されており、各フレームは複数の連続したサブフレームを有しており、
前記１つ以上の第２タイムインターバルはフレーム内の１つ以上のサブフレームにおいて生じ、
前記方法はさらに、
１つ以上の第３タイムインターバルにおいて、第２のＭ−セルの第３制御チャネルを第３制御チャネルで送信するステップを有し、前記第３制御チャネルは前記無線周波数スペクトラムの第３帯域幅を占有しており、当該第３帯域幅は前記第１帯域幅よりも狭く、前記１つ以上の第３タイムインターバルは前記フレーム内の前記１つ以上のサブフレームにおいて生じ、前記第２タイムインターバルの１つ以上と重複しており、これにより前記第１タイプの通信デバイスの受信可能帯域幅と比較して狭い受信可能帯域幅を有する他の第２タイプの通信デバイスが前記ネットワークノードによってサービスを提供されるようになり、
前記無線周波数スペクトラムの前記第２帯域幅の周波数上の位置は、前記無線周波数スペクトラムの前記第３帯域幅の周波数上の位置とは異なっていることを特徴とする請求項１に記載の方法。
【請求項１７】
前記第１タイプの通信デバイスと通信するときに第１のハイブリッド自動再送要求（ＨＡＲＱ）プロトコルを使用するステップと、
前記第２タイプの通信デバイスと通信するときに第２のＨＡＲＱプロトコルを使用するステップと
をさらに有し、
前記第１のＨＡＲＱプロトコルについての１つ以上のタイミング要件は前記第２のＨＡＲＱプロトコルについての１つ以上のタイミング要件とは異なっていることを特徴とする請求項１ないし１６のいずれか１項に記載の方法。
【請求項１８】
前記ホストセルがサポートしている前記第２タイプの通信デバイスに関連した能力を識別する情報を送信するステップをさらに有することを特徴とする請求項１ないし１７のいずれか１項に記載の方法。
【請求項１９】
セルラー通信システムにおいて通信デバイスを制御する方法であって、当該通信デバイスは、無線周波数スペクトラムの所定の帯域幅だけで動作する無線機器を備えており、
前記方法は、
前記無線周波数スペクトラムの領域であって前記所定の帯域幅よりも狭い帯域幅の第１領域でセルサーチ手順を実行するように前記無線機器を動作させるステップと、
前記セルラー通信システムにおいてセルが見つかった後で、前記無線周波数スペクトラムの領域であって前記所定の帯域幅よりも狭い帯域幅の第２領域で前記無線機器が動作するように当該無線機器を同調させるステップと、
前記無線周波数スペクトラムの前記第２領域に対して同調している間に、前記セルラー通信システムによって送信されているシステム情報を受信するよう前記無線機器を動作させるステップと、
前記無線周波数スペクトラムの第３領域で前記無線機器が動作するように当該無線機器を同調させるステップと
を有し、前記無線周波数スペクトラムの前記第２領域と前記第３領域とのうち少なくとも１つは前記無線周波数スペクトラムの前記第１領域とは異なっていることを特徴とする方法。
【請求項２０】
前記セルラー通信システムにおいてセルが見つかった後で、前記無線周波数スペクトラムの第２領域で前記無線機器が動作するように当該無線機器を同調させる前記ステップは、
前記無線周波数スペクトラムの前記第１領域で送信されている情報であって、前記第２領域の周波数上での位置について前記通信デバイスに対して直接的または間接的に通知する情報を受信するステップと、
前記無線周波数スペクトラムの前記第２領域において前記無線機器が動作するように当該無線機器を同調させるステップと
を有することを特徴とする請求項１９に記載の方法。
【請求項２１】
前記情報は、前記セルラー通信システムによって前記システム情報がいつ送信されるかについての直接的にまたは間接的に前記通信デバイスに対して追加で通知することを特徴とする請求項２０に記載の方法。
【請求項２２】
前記無線周波数スペクトラムの前記第１領域および前記第２領域はともに前記無線周波数スペクトラムの領域であって、前記セルラー通信システムによって使用するために割り当てられている領域内に位置していることを特徴とする請求項１９ないし２１のいずれか１項に記載の方法。
【請求項２３】
セルラー通信システムにおいてホストセルにサービスを提供するネットワークノードを動作させる装置であって、
１つ以上の第１タイムインターバルにおいて、無線周波数スペクトラムの第１帯域幅にわたって延在する第１制御チャネルで第１制御チャネル情報を送信する回路であって、当該第１制御チャネルは第１タイプの通信デバイスに前記ホストセルからのデータを受信させるために必要となる情報を通信するものであり、当該第１タイプの通信デバイスは前記無線周波数スペクトラムにおける前記第１帯域幅を有する信号を受信できるものである、前記回路と、
１つ以上の第２タイムインターバルにおいて、第１のＭ−セルの第２制御チャネルで第２制御チャネル情報を送信する回路であって、当該第２制御チャネルは前記無線周波数スペクトラムの第２帯域幅を占有しており、前記第２帯域幅は前記第１帯域幅よりも狭く、前記１つ以上の第２タイムインターバルは前記１つ以上の第１タイムインターバルのいずれとも重複しておらず、これにより前記第１タイプの通信デバイスの受信可能帯域幅と比較して狭い受信可能帯域幅を有する第２タイプの通信デバイスが前記ネットワークノードによってサービスを提供されるようになる、前記回路と
を有することを特徴とする装置。
【請求項２４】
記無線周波数スペクトラムの前記第２帯域幅は、前記無線周波数スペクトラムの前記第１帯域幅における周波数上の位置内に配置されていることを特徴とする請求項２３に記載の装置。
【請求項２５】
前記第２タイプの通信デバイスに情報を送信する回路をさらに有し、
前記情報は前記１つ以上の第２タイムインターバルが何であるかを通知する情報である
ことを特徴とする請求項２３または２４に記載の装置。
【請求項２６】
前記第２タイプの通信デバイスに情報を送信する回路をさらに有し、
前記情報は前記無線周波数スペクトラムにおけるどの部分に前記無線周波数スペクトラムにおける前記第２帯域幅が配置されているかを通知する情報であることを特徴とする請求項２３ないし２５のいずれか１項に記載の装置。
【請求項２７】
前記無線周波数スペクトラムにおけるどの部分に前記無線周波数スペクトラムにおける前記第２帯域幅が配置されているかを通知する前記情報は、前記無線周波数スペクトラムにおける第３帯域幅を占有するチャネル上で送信され、当該第３帯域幅は前記第１帯域幅よりも狭く、前記無線周波数スペクトラムの前記第２帯域幅の周波数上の位置は前記無線周波数スペクトラムの前記第３帯域幅の周波数上の位置と異なっていることを特徴とする請求項２６に記載の装置。
【請求項２８】
前記セルラー通信システムのエアインタフェースは連続したフレームに分割されており、各フレームは複数の連続したサブフレームを有しており、前記１つ以上の第１タイムインターバルはフレーム内の１つ以上のサブフレームにおいて生じ、前記１つ以上の第２タイムインターバルは当該フレーム内の他の１つ以上のサブフレームにおいて生じ、当該他の１つ以上のサブフレームは、前記無線周波数スペクトラムの前記第１帯域幅にわたって延在する制御チャネルで情報を送信するためには使用されないサブフレームであることを特徴とする請求項２３ないし２７のいずれか１項に記載の装置。
【請求項２９】
前記フレームにおける前記他の１つ以上のサブフレームのうちの１つのサブフレームにおいて送信される前記第２の制御チャネル情報は、前記第２タイプの通信デバイスについての１つ以上のダウンリンク物理データチャネルとして使用される前記他の１つ以上のサブフレームのうちの１つのサブフレーム内における１つ以上のタイムインターバルおよび／または周波数を示していることを特徴とする請求項２８に記載の装置。
【請求項３０】
前記フレームにおける前記他の１つ以上のサブフレームのうちの１つのサブフレームにおいて送信される前記第２の制御チャネル情報は、前記第２タイプの通信デバイスについての１つ以上のダウンリンク物理データチャネルとして使用される前記他の１つ以上のサブフレームのうちの１つのサブフレーム内でより後の１つ以上のタイムインターバルおよび／または周波数を示していることを特徴とする請求項２８に記載の装置。
【請求項３１】
前記他の１つ以上のサブフレームの間は前記第１タイプの通信デバイスが前記第１制御チャネルの受信を試行しないようにするために、前記第１タイプの通信デバイスに対して信号を送信する回路をさらに有することを特徴とする請求項２８に記載の装置。
【請求項３２】
前記セルラー通信システムのエアインタフェースは連続したフレームに分割されており、各フレームは複数の連続したサブフレームを有しており、
前記１つ以上の第１タイムインターバルはフレーム内の１つ以上のサブフレームにおいて生じ、
前記１つ以上の第２タイムインターバルは当該フレーム内の当該１つ以上のサブフレーム内の異なる時間において生じ、
前記１つ以上の第１タイムインターバルのいずれもが前記第２タイムインターバルのいずれとも重複していない
ことを特徴とする請求項２３ないし２６のいずれか１項に記載の装置。
【請求項３３】
システム情報を送信する回路をさらに有し、
当該システム情報は、前記第２タイプの通信デバイスに対して、
第１のＭ−セルにおけるランダムアクセスチャネルにアクセスするときに使用されるランダムアクセスパラメータと、
Ｍ−セルのサブフレームパターンであって、前記サブフレームパターンに関連付けられている各Ｍ−セルは前記第２帯域幅を有する前記無線周波数スペクトラムにおける予約された部分に対応している、当該サブフレームパターンと、
ホストセルのサブフレームパターンと、
ホストセルの前記サブフレームパターンを演繹的に推定可能にする情報と
のうち１つ以上を通知する情報であることを特徴とする請求項２３ないし３２のいずれか１項に記載の装置。
【請求項３４】
ランダムアクセス送信信号を受信する回路と、
前記ランダムアクセス送信信号が前記第２タイプの通信デバイスからものであるか判定し、前記ランダムアクセス送信信号が前記第２タイプの通信デバイスからものであれば、前記無線周波数スペクトラムの前記第２帯域幅の時間上の位置および／または周波数上の位置を識別する情報を前記第２タイプの通信デバイスに送信することによって、当該第２タイプの通信デバイスをＭ−セルに配置させる回路と
をさらに有することを特徴とする請求項２３に記載の装置。
【請求項３５】
１つ以上の第３タイムインターバルにおいて、前記第１のＭ−セルの第３制御チャネルで第３制御チャネル情報を送信する回路をさらに有し、前記第３制御チャネル情報は前記第２タイプの通信デバイスによって受信されることを意図された情報であり、前記１つ以上の第３タイムインターバルは、前記１つ以上の第１タイムインターバルまたは前記１つ以上の第２タイムインターバルのいずれとも重複していないことを特徴とする請求項２３ないし３４のいずれか１項に記載の装置。
【請求項３６】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該サブフレーム内の他の１つ以上のタイムインターバルにおいて生じることを特徴とする請求項３５に記載の装置。
【請求項３７】
前記セルラー通信システムのエアインタフェースは連続したフレームに分割されており、各フレームは複数の連続したサブフレームを有しており、前記１つ以上の第２タイムインターバルはフレーム内の１つ以上のサブフレームにおいて生じ、前記１つ以上の第３タイムインターバルは当該フレーム内の他のサブフレーム内における１つ以上のタイムインターバルにおいて生じることを特徴とする請求項３５に記載の装置。
【請求項３８】
前記セルラー通信システムのエアインタフェースは連続したフレームに分割されており、各フレームは複数の連続したサブフレームを有しており、
前記１つ以上の第２タイムインターバルはフレーム内の１つ以上のサブフレームにおいて生じ、
前記装置はさらに、
１つ以上の第３タイムインターバルにおいて、第２のＭ−セルの第３制御チャネルを第３制御チャネルで送信する回路を有し、前記第３制御チャネルは前記無線周波数スペクトラムの第３帯域幅を占有しており、当該第３帯域幅は前記第１帯域幅よりも狭く、前記１つ以上の第３タイムインターバルは前記フレーム内の前記１つ以上のサブフレームにおいて生じ、前記第２タイムインターバルの１つ以上と重複しており、これにより前記第１タイプの通信デバイスの受信可能帯域幅と比較して狭い受信可能帯域幅を有する他の第２タイプの通信デバイスが前記ネットワークノードによってサービスを提供されるようになり、
前記無線周波数スペクトラムの前記第２帯域幅の周波数上の位置は、前記無線周波数スペクトラムの前記第３帯域幅の周波数上の位置とは異なっていることを特徴とする請求項２３に記載の装置。
【請求項３９】
前記第１タイプの通信デバイスと通信するときに第１のハイブリッド自動再送要求（ＨＡＲＱ）プロトコルを使用する回路と、
前記第２タイプの通信デバイスと通信するときに第２のＨＡＲＱプロトコルを使用する回路と
をさらに有し、
前記第１のＨＡＲＱプロトコルについての１つ以上のタイミング要件は前記第２のＨＡＲＱプロトコルについての１つ以上のタイミング要件とは異なっていることを特徴とする請求項２３ないし３８のいずれか１項に記載の装置。
【請求項４０】
前記ホストセルがサポートしている前記第２タイプの通信デバイスに関連した能力を識別する情報を送信する回路をさらに有することを特徴とする請求項２３ないし３９のいずれか１項に記載の装置。
【請求項４１】
セルラー通信システムにおいて通信デバイスを制御する装置であって、当該通信デバイスは、無線周波数スペクトラムの所定の帯域幅だけで動作する無線機器を備えており、
前記装置は、
前記無線周波数スペクトラムの領域であって前記所定の帯域幅よりも狭い帯域幅の第１領域でセルサーチ手順を実行するように前記無線機器を動作させる回路と、
前記セルラー通信システムにおいてセルが見つかった後で、前記無線周波数スペクトラムの領域であって前記所定の帯域幅よりも狭い帯域幅の第２領域で前記無線機器が動作するように当該無線機器を同調させる回路と、
前記無線周波数スペクトラムの前記第２領域に対して同調している間に、前記セルラー通信システムによって送信されているシステム情報を受信するよう前記無線機器を動作させる回路と、
前記無線周波数スペクトラムの第３領域で前記無線機器が動作するように当該無線機器を同調させる回路と
を有し、前記無線周波数スペクトラムの前記第２領域と前記第３領域とのうち少なくとも１つは前記無線周波数スペクトラムの前記第１領域とは異なっていることを特徴とする装置。
【請求項４２】
前記無線周波数スペクトラムの第２領域で前記無線機器が動作するように当該無線機器を同調させる前記回路は、
前記セルラー通信システムにおいてセルが見つかった後で、
前記無線周波数スペクトラムの前記第１領域で送信されている情報であって、前記第２領域の周波数上での位置について前記通信デバイスに対して直接的または間接的に通知する情報を受信し、
前記無線周波数スペクトラムの前記第２領域において前記無線機器が動作するように当該無線機器を同調させる
回路を有していることを特徴とする請求項４１に記載の装置。
【請求項４３】
前記情報は、前記セルラー通信システムによって前記システム情報がいつ送信されるかについての直接的にまたは間接的に前記通信デバイスに対して追加で通知することを特徴とする請求項４２に記載の装置。
【請求項４４】
前記無線周波数スペクトラムの前記第１領域および前記第２領域はともに前記無線周波数スペクトラムの領域であって、前記セルラー通信システムによって使用するために割り当てられている領域内に位置していることを特徴とする請求項４１ないし４３のいずれか１項に記載の装置。
【発明の詳細な説明】
【技術分野】
【０００１】
本発明は、セルラー通信システムに関し、特に、セルラー通信システムにおけるフル（全）帯域幅デバイスおよびリミテッド（限定）帯域幅デバイスの双方に対するサポートに関する。
【背景技術】
【０００２】
一般にセルラー通信システムは、移動端末にワイヤレスカバレッジ（無線有効範囲領域）を提供する陸上ネットワークを含み、これによりネットワークのワイヤレスカバレッジ内を移動しつつサービスを受信し続けることが可能になる。「セルラー」という用語は、カバレッジの全域がいわゆる「セル」に分割されるということに由来する。一般に各セルは、陸上ネットワークと関連付けられた特定の無線トランシーバ基地局（またはその等価物）により提供される。多くの場合、そのようなトランシーバ基地局を「基地局」と呼ぶ。移動デバイスが１つのセルから別のセルに移動する時、ネットワークは、移動デバイスにサービスを提供している現在のサービングセルから「新しい」セルにハンドオーバを実行する。このように、移動デバイスのユーザは、ネットワークへの接続を再確立する必要なくサービスの継続性を享受する。図１は、複数のセル１０３を利用してシステムカバレッジ１０１を提供するセルラー通信システムを示す。
【０００３】
移動通信サービスを提供するために利用される無線周波数スペクトルは、システムにおいて全てのユーザの間で何らかの方法で共有されなければならない限られたリソースである。従って、電波スペクトルの１つの移動デバイスによる使用（送信および受信の双方）が別の移動デバイスの使用を妨害すること、並びに１つのセルの通信が別のセルの通信を妨害することを防止するために、多くの技術が開発されている。周波数分割多元接続（ＦＤＭＡ）等のいくつかの技術は、ある特定の周波数を１人のユーザに割り当てて他のユーザを除外することを含む。時分割多元接続（ＴＤＭＡ）等の他の技術は、多数のユーザが周波数の独占的な使用を許可される各ユーザに固有のある特定の時間にだけそのユーザと１つ以上の周波数を共有できるようにすることを含む。ＦＤＭＡおよびＴＤＭＡの技術は互いに相反するものではなく、多くのシステムは双方の技術を共に採用する。その一例は、汎ヨーロッパデジタル移動通信システム（ＧＳＭ）である。
【０００４】
設計者がより一層高度な機能（例えば、より高速な通信速度、干渉に対する耐性、より高いシステム容量等）を有するシステムを開発しようと努力する時、無線周波数リソースを共有する種々の手段を含む種々の技術的特徴が取り入れられる。多数の可能な例のうちの１つを挙げると、３ＧＰＰ  ＴＲ  ３６．２０１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡＮ）；  Ｌｏｎｇ  Ｔｅｒｍ  Ｅｖｏｌｕｔｉｏｎ（ＬＴＥ）ｐｈｙｓｉｃａｌ  ｌａｙｅｒ；  Ｇｅｎｅｒａｌ  ｄｅｓｃｒｉｐｔｉｏｎ」により規定されるような発展型ユニバーサル地上無線アクセスネットワーク（Ｅ−ＵＴＲＡＮ）ＬＴＥ（Ｌｏｎｇ  Ｔｅｒｍ  Ｅｖｏｌｕｔｉｏｎ）技術は、非常に広範な運用帯域幅およびさらには搬送波周波数にわたり動作できる。さらにＥ−ＵＴＲＡＮシステムは、マイクロセル（すなわち、一般の人々が容易に行けるショッピングセンターまたは他の建物等の限られた領域を範囲に含む低電力基地局が受け持つセル）から最大１００ｋｍに及ぶ範囲を有するマクロセルまでの広範な距離内で動作できる。種々の適応例において発生する可能性のある種々の無線状況に対処するために、直交周波数分割多元接続（ＯＦＤＭＡ）技術は、種々の伝搬状況に非常に適切に適応できる無線アクセス技術であるためにダウンリンク（すなわち、基地局からユーザ機器「ＵＥ」への通信リンク）で使用される。ＯＦＤＭＡにおいて、使用可能なデータストリームは、並列に送信される多数の狭帯域副搬送波（サブキャリア）に分配される。各サブキャリアは、狭帯域であるためにフラットフェージングしか経験しない。これにより、受信機において各サブキャリアを復調することが非常に容易になる。
【０００５】
オペレータがＧＳＭ等の旧式の通信システムをＬＴＥネットワークで置換する計画をしているため、ＬＴＥを介したマシンタイプコミュニケーション（ＭＴＣ）が益々注目を集めてきている。例えば接続されたセンサ、アラームおよび遠隔制御装置等のＭＴＣデバイスは、ＧＳＭネットワークにおいて一般的であり、より古いＵＥ（例えば、移動電話機）と共存している。一般にＭＴＣデバイスは、低速のビットレートおよび低頻度の通信動作を特徴とする。ＭＴＣデバイスの数は、今後数年の間に激増することが予想される。
【０００６】
ＬＴＥのリリース８／９バージョンにおいて、サポートされたセル帯域幅は、約１．４〜２０ＭＨｚ（ＬＴＥ用語において６個および１００個のリソースブロック（ＲＢ））の範囲であり、ＬＴＥの物理ダウンリンク制御チャネル（ＰＤＣＣＨ）は全セル帯域幅にわたって配置されており、これは、全てのＵＥが制御情報を受信するために全セル帯域幅にわたり受信をサポートしなければならないことを意味する。ＵＥがデータチャネル（物理ダウンリンク共有チャネル「ＰＤＳＣＨ」）上で情報を受信できる無線周波数スペクトルにおける位置を識別する情報のいずれかがサブフレーム（１ｍｓ周期）においてＵＥに送信されるか、あるいは多数のＵＥにブロードキャスト通信される場合、制御チャネルはそのような情報を搬送する。
【０００７】
ＬＴＥリリース８は、レガシー（従来）端末に悪影響を及ぼすことなくその後のリリースにおいてマルチメディアブロードキャスト単一周波数ネットワーク（ＭＢＳＦＮ）を導入できるように、ＭＢＳＦＮに対して使用されたサブフレームのユニキャストシグナリングとマルチキャストシグナリングとの間でサブフレーム毎に時間分割多重化を既にサポートしている。ＬＴＥの以前のバージョンに従って設計されたあらゆる端末（「レガシー端末」）は、ＭＢＳＦＮをサポートしていないが、ＭＢＳＦＮサブフレームであるものとしてシグナリングされたサブフレームは端末が受信するものを含まないため、これらのサブフレームにおいて受信が回避されることを認識している。１つの例外は、特に正常なサブフレームに隣接する場合に端末が使用してもよい（例えば、チャネル推定または測定（例えば、無線リンク監視「ＲＬＭ」または基準信号受信電力「ＲＳＲＰ」）のために）セル固有の基準信号（ＣＲＳ）を搬送するサブフレームにおける第１のＯＦＤＭシンボルである。ここでは、マルチキャスト動作のためだけではなく、ＡＢＳ（Ａｌｍｏｓｔ  Ｂｌａｎｋ  Ｓｕｂｆｒａｍｅ）と共にヘテロジニアスネットワーク展開シナリオにおける中継および改善された測定のコンテキストで使用するために、ＭＢＳＦＮサブフレームが説明されている。
【０００８】
通信のためにセルラシステムを利用するＭＴＣデバイスが益々普及してきている。しかし、既存のＬＴＥの要件を満たすことにより、ＭＴＣデバイスがより高価になり且つ、ＭＴＣデバイスが自身のサービス要件の品質を満足するために通常必要とする電力より多くの電力を消費するようになるために、ＬＴＥ等の通信システムを利用して通信できるＭＴＣデバイスを開発するという概念は問題を提起する。上述したように、一般にＭＴＣデバイスは、少量のデータをシグナリングするために低いデータ転送速度しか必要としない。ＭＴＣデバイスの分類の一例はセンサ装置である。そのようなデバイスの重要な必要条件は、それらデバイスのコストおよび消費電力が低いことである。一般にコストおよび消費電力を増加させるセルラシステムパラメータの例は、システム帯域幅および応答時間である。現在の標準化リリースに従って規定されたようにＬＴＥを使用するには、デバイスが最大２０ＭＨｚのシステム帯域幅をサポートすることが必要である。そのような広い帯域幅をサポートすることにより、ＬＴＥ  ＭＴＣデバイスに対するコストは増加する。ＭＴＣデバイスの相対的に低いデータ転送速度をサポートするのに狭いシステム帯域幅（例えば、最大で数ＭＨｚ）しか必要ないため、そのようなサポートは、実質的にはＭＴＣデバイスの観点から不要である。
【０００９】
また、ハイブリッド自動再送要求（ＨＡＲＱ）応答を発行する期間が短く且つ制御シグナリング（データ情報が出現することを示す）とデータ情報の実際の送信との間の時間間隔が短いという点から、ＬＴＥは短い応答時間を必要とする。（ＬＴＥシステムにおいて、ＰＤＣＣＨは、ＰＤＣＣＨと同一のサブフレームに含まれるＰＤＳＣＨにおけるデータを指示する）。これらの時間の必要条件を満足するには、処理速度（電力を駆動する）および／または並列処理（ベースバンドチップ領域およびそれによりコストを増加する）の必要性に対して高い要求がされる。低いデータ転送速度をサポートし且つ必要な電力が低いＭＴＣデバイスは、必要とされるクロッキング速度または並列処理の要求を軽減するために、長い応答時間（例えば、制御情報およびデータを復号化するより長い時間）を最適に使用すべきである。
【００１０】
先に挙げた点は、２０ＭＨｚより低いシステム帯域幅で動作するようにＭＴＣデバイスを制限することが有益である理由を示す。しかし、全てのセルラネットワークが電力およびコストの効率のよいＭＴＣデバイスをサポートする場合、それらが狭い帯域幅のみを使用するように制限することを要求するのは制限しすぎとなる。
【００１１】
現在、狭帯域幅のみをサポートし且つ／あるいは不十分な復号化性能を有するＭＴＣデバイス間には不一致（例えば、ＰＤＣＣＨとＰＤＳＣＨ上の可能なデータとの間のより長い遅延の要求）があり、それは、現在第３世代パートナーシッププロジェクト（３ＧＰＰ）規格により規定されているように、そのようなデバイスがＬＴＥシステムに接続できることを妨げている。そのようなＭＴＣデバイスがセルサーチを実行でき且つたった１．４ＭＨｚ帯域幅でマスタ情報ブロック（ＭＩＢ）を受信できるようにしても、従来のＬＴＥセルをキャンプオンすることは依然として不可能である。なぜなら、ＭＴＣデバイスが例えばランダムアクセスチャネル（ＲＡＣＨ）を介してランダムアクセスを実行できるようにするために必要とされる更なるブロードキャスト情報（例えば、システム情報ブロック「ＳＩＢ」）を受信できることが、ＭＴＣデバイスが全ＬＴＥ帯域幅をサポートでき、並びにさらにはＭＴＣデバイスが現在の規格と比較して何の追加遅延規制もなくＰＤＣＣＨおよびＰＤＳＣＨを復号化できるためには必要となる。
【００１２】
従って、ＭＴＣデバイスが相対的に低い性能特性（例えば、サポートされる帯域幅のサイズおよび／または処理電力の点で）を保持できるようにし、さらには通常接続デバイスに対してより高い性能を要求する近年のセルラー通信システムに接続できる方法および装置を有することが望ましい。近年のセルラー通信システムは、ＬＴＥシステム等であるがそれに限定されない。
【発明の概要】
【課題を解決するための手段】
【００１３】
尚、本明細書において使用される場合の用語「備える」は、記載される特徴、数字、ステップまたは構成要素の存在を特定するものとして解釈され、この用語を使用することは、１つ以上の他の特徴、数字、ステップ、構成要素またはそれらの集合の存在または追加を除外するわけではない。
【００１４】
本発明の一態様によると、上述した目的および他の目的は、例えばセルラー通信システムにおいてホストセルを提供するネットワークノードを動作させる方法および装置において実現される。そのような動作は、１つ以上の第１のタイムインターバル（時間間隔）で、無線周波数スペクトルの第１の帯域幅にわたる制御チャネルで第１の制御チャネル情報を送信することを含み、第１の制御チャネルは、無線周波数スペクトルの第１の帯域幅を有する信号を受信できる第１のタイプ（種類）の通信デバイスがホストセルからデータを受信できるようにするために必要な情報を通信する。１つ以上の第２の時間間隔で、第２の制御チャネル情報は、第１の帯域幅より狭い無線周波数スペクトルの第２の帯域幅を占有する第１のＭ−セルにおける第２の制御チャネルに送信され、１つ以上の第２の時間間隔が１つ以上の第１の時間間隔のいずれとも一致しないため、第１の種類の通信デバイスの受信可能帯域幅より狭い受信可能帯域幅を有する第２の種類の通信デバイスをネットワークノードにより提供することが可能になる。
【００１５】
いくつかの実施形態の一態様において、無線周波数スペクトルの第２の帯域幅は、無線周波数スペクトルの第１の帯域幅における周波数毎の位置内に周波数毎に配置される。
【００１６】
いくつかの実施形態の一態様において、動作は、１つ以上の第２の時間間隔がどんなものであるかを通知する情報を第２の種類の通信デバイスに送信することを含む。
【００１７】
いくつかの実施形態の一態様において、動作は、無線周波数スペクトルの第２の帯域幅無線周波数スペクトルのどの部分に配置されるかを通知する情報を第２の種類の通信デバイスに送信することを含む。限定しない例として、無線周波数スペクトルの第２の帯域幅が無線周波数スペクトルのどの部分に配置されるかを通知する情報は、第１の帯域幅より狭い無線周波数スペクトルの第３の帯域幅を占有するチャネルで送信され、無線周波数スペクトルの第２の帯域幅の周波数毎の位置は、無線周波数スペクトルの第３の帯域幅の周波数毎の位置とは異なる。
【００１８】
いくつかの実施形態の一態様において、セルラー通信システムのエアインタフェースは、各々が連続して発生する複数のサブフレームを含む連続して発生するフレームに分割され、１つ以上の第１の時間間隔は、フレーム内の１つ以上のサブフレームにおいて発生し、１つ以上の第２の時間間隔は、無線周波数スペクトルの第１の帯域幅にわたって配置される制御チャネルでいずれの情報を送信するのにも使用されないフレーム内における１つ以上の異なるサブフレームにおいて発生する。これらの実施形態のいくつかの例示的な代替例において、
・フレーム内の１つ以上の異なるサブフレームのうちの１つにおいて送信された第２の制御チャネル情報は、第２の種類の通信デバイスに対するそれぞれの１つ以上のダウンリンク物理データチャネルとして使用される１つ以上の異なるサブフレームのうちの１つのサブフレーム内の１つ以上の時間間隔および／または周波数を示すか、
・フレーム内の１つ以上の異なるサブフレームのうちの１つにおいて送信された第２の制御チャネル情報は、第２の種類の通信デバイスに対するそれぞれの１つ以上のダウンリンク物理データチャネルとして使用される１つ以上の異なるサブフレームのうちの後の１つのサブフレーム内の１つ以上の時間間隔および／または周波数を示すか、あるいは
・動作は、信号を第１の種類の通信デバイスに送出することを含み、その結果、第１の種類の通信デバイスは、１つ以上の異なるサブフレームの区間において第１の制御チャネルを受信しようとしない。
【００１９】
いくつかの実施形態の一態様において、セルラー通信システムのエアインタフェースは、各々が連続して発生する複数のサブフレームを含む連続して発生するフレームに分割され、１つ以上の第１の時間間隔は、フレーム内の１つ以上のサブフレームの間に発生し、１つ以上の第２の時間間隔は、フレーム内の１つ以上の異なるサブフレーム内の種々の時間において発生し、１つ以上の第１の時間間隔は、１つ以上の第２の時間間隔のうちのいずれとも一致しない。
【００２０】
いくつかの実施形態の一態様において、動作は、
第１のＭ−セルのランダムアクセスチャネルにアクセスする際に使用するためのランダムアクセスパラメータ、
サブフレームパターンと関連付けられた各々が第２の帯域幅を有する無線周波数スペクトルの予約された部分であるＭ−セルのサブフレームパターン、
ホストセルのサブフレームパターン、および
ホストセルのサブフレームパターンが推定されうる情報
のうちの１つ以上を第２の種類の通信デバイスに通知するシステム情報を送信することを含む。
【００２１】
いくつかの実施形態の一態様において、動作は、ランダムアクセス送信を受信することと、ランダムアクセス送信が第２の種類の通信デバイスから来たことを確認することと、それに応答して無線周波数スペクトルの第２の帯域幅の時間毎および／または周波数毎の位置を識別する情報を第２の種類の通信デバイスに送出することにより、第２の種類の通信デバイスがＭ−セルを配置できるようにすることとを含む。
【００２２】
いくつかの実施形態の一態様において、動作は、１つ以上の第１の時間間隔または１つ以上の第２の時間間隔のいずれとも一致しない１つ以上の第３の時間間隔で、第２の種類の通信デバイスにより受信されることを意図する第３の制御チャネル情報を第１のＭ−セルの第３の制御チャネルで送信することを含む。
【００２３】
いくつかの実施形態の一態様において、セルラー通信システムのエアインタフェースは、各々が連続して発生する複数のサブフレームを含む連続して発生するフレームに分割され、１つ以上の第２の時間間隔は、フレーム内の１つ以上のサブフレームにおいて発生し、１つ以上の第３の時間間隔は、サブフレーム内の１つ以上の異なる時間間隔で発生する。
【００２４】
いくつかの実施形態の一態様において、セルラー通信システムのエアインタフェースは、各々が連続して発生する複数のサブフレームを含む連続して発生するフレームに分割され、１つ以上の第２の時間間隔は、フレーム内の１つ以上のサブフレームにおいて発生し、１つ以上の第３の時間間隔は、フレーム内の異なるサブフレーム内の１つ以上の異なる時間間隔で発生する。
【００２５】
いくつかの実施形態の一態様において、セルラー通信システムのエアインタフェースは、各々が連続して発生する複数のサブフレームを含む連続して発生するフレームに分割され、１つ以上の第２の時間間隔は、フレーム内の１つ以上のサブフレームの間に発生し、動作は、１つ以上の第３の時間間隔で、第１の帯域幅より狭い無線周波数スペクトルの第３の帯域幅を占有する第２のＭ−セルの第３の制御チャネルで第３の制御チャネル情報を送信することを含み、１つ以上の第３の時間間隔がフレーム内の１つ以上のサブフレームの間に発生し且つ第２の時間間隔のうちの１つ以上と一致することにより、第１の種類の通信デバイスの受信可能帯域幅より狭い受信可能帯域幅を有する異なる第２の種類の通信デバイスをネットワークノードにより提供することが可能になり、無線周波数スペクトルの第２の帯域幅の周波数毎の位置は、無線周波数スペクトルの第３の帯域幅の周波数毎の位置とオーバラップしない。
【００２６】
いくつかの実施形態の一態様において、動作は、第１の種類の通信デバイスと通信する際に第１のハイブリッド自動再送要求（ＨＡＲＱ）プロトコルを使用することと、第２の種類の通信デバイスと通信する際に第２のＨＡＲＱプロトコルを使用することとを含み、第１のＨＡＲＱプロトコルの１つ以上のタイミング要求は、第２のＨＡＲＱプロトコルの１つ以上のタイミング要求とは異なる。
【００２７】
いくつかの実施形態の一態様において、動作は、ホストセルがサポートする第２の種類の通信デバイスに関連した機能を識別する情報を送信することを含む。
【００２８】
本発明の他の態様によると、上述した目的および他の目的は、例えばセルラー通信システムにおいて無線周波数スペクトルの事前定義済みの帯域幅より広くない帯域幅で動作する無線機器を有する通信デバイスを制御する方法および装置において実現される。そのような動作は、事前定義済みの帯域幅より広くない帯域幅を有する無線周波数スペクトルの第１の領域においてセルサーチ手順を実行するように無線機器を操作することを含む。セルラー通信システムにおいてセルを発見した後、無線機器は、事前定義済みの帯域幅より広くない帯域幅を有する無線周波数スペクトルの第２の領域において無線機器を動作させるようにチューニングされる。無線周波数スペクトルの第２の領域にチューニングされている間、無線機器は、セルラー通信システムにより送信されるシステム情報を受信するように操作され、無線周波数スペクトルの第３の領域において無線機器を動作させるように同調され、無線周波数スペクトルの第２の領域および第３の領域のうちの少なくとも一方は、無線周波数スペクトルの第１の領域とは異なる。
【００２９】
いくつかの実施形態の一態様において、セルラー通信システムにおいてセルを発見した後、無線周波数スペクトルの第２の領域において無線機器を動作させるように無線機器をチューニングすることは、第２の領域の周波数毎の位置について通信デバイスに直接または間接的に通知する無線周波数スペクトルの第１の領域において送信された情報を受信することと、無線周波数スペクトルの第２の領域において無線機器を動作させるように無線機器をチューニングすることとを含む。
【００３０】
いくつかのそのような実施形態の一態様において、さらに情報は、システム情報がセルラー通信システムにより送信される時間について通信デバイスに直接または間接的に通知する。
【００３１】
いくつかの実施形態の一態様において、無線周波数スペクトルの第１の領域および第２の領域の双方は、セルラー通信システムが使用するために割り当てられる無線周波数スペクトルの領域内に配置される。
【図面の簡単な説明】
【００３２】
【図１】図１は、複数のセルを利用してシステムカバレッジを提供するセルラー通信システムを示す図である。
【図２】図２は、ホストセルおよびＭ−セルの双方であるセル２０３を提供するように本発明のいくつかの態様に従って動作されるネットワークノード２０１を示す図である。
【図３】図３は、１つのＯＦＤＭシンボル間隔の間に１つのＯＦＤＭサブキャリアに対応する例示的なＬＴＥダウンリンク物理リソース（「リソースエレメント」）および時間周波数グリッドを示す図である。
【図４】図４は、周波数領域におけるダウンリンクサブキャリアがリソースブロックにグループ化される方法を示す時間周波数グリッドを示す図である。
【図５ａ】図５ａは、スロット毎に７個のＯＦＤＭシンボルを通信できるいわゆる「通常の」サイクリックプレフィックス長を示す図である。
【図５ｂ】図５ｂは、サイズがより長いために、スロット毎に６個のＯＦＤＭシンボルしか通信できない拡張サイクリックプレフィックスを示す図である。
【図６】図６は、ＬＴＥシステムの無線インタフェースの構造を示す図である。
【図７】図７は、レガシーＬＴＥシステムの無線インタフェース（時間周波数グリッド）の構造を示す図である。
【図８】図８は、１つの点で、本発明の例示的な実施形態に係る通信システムノードにより実行されるステップ／処理を示すフローチャートである。
【図９】図９は、ノードが図８を参照して説明されるような方法でホストセルおよびＭ−セルを作成している例示的なサブフレームの時間周波数グリッドを示す図である。
【図１０】図１０は、１つの点で、本発明の必ずしも全てではないがいくつかの例示的な実施形態に係る通信システムノードにより実行されるステップ／処理を示すフローチャートである。
【図１１】図１１は、複数のＭ−セルが予約されたサブフレーム内に積み重ねられうる方法を示す時間周波数グリッドを示す図である。
【図１２】図１２は、１つ以上のＭ−セルが独占的に使用するためにノードにより予約されている例示的なサブフレームの時間周波数グリッドを示す図である。
【図１３】図１３は、１つの点で、本発明の必ずしも全てではないがいくつかの例示的な実施形態に係るＭＴＣデバイスにより実行されるＭ−セルサーチおよび接続に関連するステップ／処理を示すフローチャートである。
【図１４】図１４は、１つの点で、本発明の必ずしも全てではないがいくつかの例示的な実施形態に係るＭＴＣデバイスにより実行されるステップ／処理を示すフローチャートである。
【図１５】図１５は、ＭＩＢおよびホストセルスペクトルリソース内の種々の他のＭＴＣ要素に対するその関係を示すタイミング／周波数図である。
【図１６】図１６は、本発明の種々の態様を実行するシステム要素を示すブロック図である。
【図１７】図１７は、本発明のいくつかの例示的な実施形態に係る限定帯域幅通信デバイスを示すブロック図である。
【発明を実施するための形態】
【００３３】
次に、図面を参照して本発明の種々の特徴を説明する。図中、同一の部分は同一の図中符号で識別される。
【００３４】
次に、多数の例示的な実施形態と関連して、本発明の種々の態様をさらに詳細に説明する。本発明を理解しやすくするために、プログラムされた命令を実行できるコンピュータシステムまたは他のハードウェアの要素により実行される動作の手順に関して、本発明の多くの態様を説明する。各実施形態において、専用回路（例えば、専用機能を実行するように相互接続されたアナログおよび／または離散論理ゲート）、適切な命令セットを用いてプログラムされた１つ以上のプロセッサ、あるいはそれら双方の組合せにより種々の動作が実行可能であることが理解されるだろう。説明される１つ以上の動作を実行する「ように構成された回路網」という用語は、全てそのような実施形態を示すために本明細書において使用される（すなわち、１つ以上の専用回路および／または１つ以上のプログラムされたプロセッサ）。また、本発明は、プロセッサに本明細書において説明される技術を実行させる適切なコンピュータ命令の集合を含む固体メモリ、磁気ディスクまたは光ディスク等のあらゆる形態のコンピュータ可読媒体内で完全に実施されるものとさらに考えられうる。従って、本発明の種々の態様は、多くの異なる形態で実施されてもよく、全てのそのような形態は、本発明の範囲内のものとして考えられる。本発明の種々の態様の各々に対して、上述の実施形態のあらゆるそのような形態は、本明細書において、説明される動作を実行する「ように構成された論理（ロジック）」または説明される動作を実行する「ロジック」と呼ばれてもよい。
【００３５】
本発明に則した実施形態の一態様において、セルラー通信システムにおいてセルを提供するネットワークノードは、従来の規格に準拠した通信デバイス（例えば、セルラー通信システムの全帯域幅（「第１の帯域幅」を有する信号を受信できる第１の種類の通信デバイス）をサポートする。このセルは、本明細書において「ホストセル」で示される。ネットワークノードは、第２の帯域幅より広くない信号を受信できる第２の種類の通信デバイス（例えば、ＭＴＣデバイス）もサポートする。第２の帯域幅は第１の帯域幅より狭い。単に利便性のために、本明細書にわたり「ＭＴＣデバイス」を用いる。しかし、マシンタイプコミュニケーションは本発明の必須の態様ではない。第２の種類の通信デバイスに人間の対話操作が関与する場合でも、本発明に則した実施形態の種々の態様は、第２の帯域幅より広くない信号を受信できるいかなる第２の種類の通信デバイスにも適用可能である。従って、１つ以上の「ＭＴＣデバイス」に対する全ての参照は、一般に、実際のマシンタイプコミュニケーションデバイスおよび他のデバイスを含むがそれらに限定されない全ての形態の第２の種類の通信デバイスを含むものとして解釈されるべきである。
【００３６】
例えば、限定しない例として（本発明の種々の態様は他のシステムにも適用可能である）ＬＴＥシステムを挙げると、ネットワークノードは、特殊なＭＴＣ向けの制御およびデータチャネルを含むリソースのうちのいくつかを割り当てて、第２の帯域幅（例えば、６個のＲＢ）を占有できるにすぎない。このように、ＭＴＣデバイスとの通信を目標とする物理チャネルおよびシステム情報等のエンティティの新たな集合が規定される。本明細書において説明されるような新しいエンティティは、多くの例においてレガシーＬＴＥシステムにおけるエンティティに対応する。本発明がマシンタイプコミュニケーションのみが使用するためのものとして限定されないため、新しいエンティティは、プレフィックス「Ｍ−」をより従来の用語に追加することで本明細書にわたり示される。「Ｍ−」は、ＭＴＣデバイスが使用することを意図すると考えられ（その用語が大まかに構成されるため）、且つホストセルのエンティティに対して補助的または状況によっては従属的な「ＭＴＣ」、「修正された」、「小型の」、あるいは他のあらゆる種類のセルまたは態様を示すものであると広範囲に考えられうる。従って、ＭＴＣデバイスをサポートするホストセルの態様／エンティティを本明細書では「Ｍ−セル」と呼び、「Ｍ−セル」と呼ぶことは全て、説明の文脈に応じてこれらの態様／エンティティのいずれか１つまたはあらゆる組合せ、あるいは全てを示してもよい。ＬＴＥシステムにおける残りのリソース（例えば、無線周波数リソース）は、完全に有能なレガシー通信デバイス（すなわち、「第１の種類の通信デバイス」）をサポートするために使用可能である。従って、「ホストセル」および「Ｍ−セル」のカバレッジは地理的に一致しうる。
【００３７】
再度限定しない例としてＬＴＥシステムを挙げると、いくつかの実施形態において、Ｍ−セルは、通常の（レガシー）サブフレームの周波数において隣接するＲＢペアを予約し、且つホストセルのＰＤＣＣＨにより占有されたシンボル位置とは異なるＯＦＤＭシンボル位置においてＭ−ＰＤＣＣＨを送信することにより作成されてもよい。あるいは、ホストセルのＰＤＣＣＨにより別の方法で占有されるＯＦＤＭシンボル位置においてＭ−ＰＤＣＣＨが送信される特定のサブフレームが予約されてよい。
【００３８】
Ｍ−ＰＤＣＣＨは、リソースブロック割り当て、トランスポートフォーマットおよびダウンリンクデータチャネルを復調するために必要なＨＡＲＱ情報、並びにスケジューリンググラントおよび電力制御コマンド等のアップリンク関連制御情報を含むレガシー（ホストセル）ＰＤＣＣＨと同一の種類の情報を搬送してもよい。しかし、Ｍ−ＰＤＣＣＨは、より少ない情報またはより多くの情報をさらに含んでもよく、ＰＤＣＣＨとは異なる方法で符号化されてもよい。
【００３９】
モビリティは、シグナリングの繰り返しを回避するためにホストセルの中央の６個のＲＢ（または等価の通信システムにおける同等の狭い帯域幅）に依然として基づいてよい。また、ある意味ではＭ−ＳＩチャネルにより搬送されるものとして考えられうるシステム情報は、ここでもシグナリングの繰り返しを回避するために連係して送信されてよい。
【００４０】
図２は、ホストセルおよびＭ−セルの双方であるセル２０３を提供するように本発明のいくつかの態様に従って運用されるネットワークノード２０１を示す。規格に準拠した（レガシー）ＵＥ２０５をサポートするために、ノード２０１は、通信システム規格に従って知られているように例えばＰＤＣＣＨおよびＰＤＳＣＨとして使用するために、無線周波数リソースのうちのいくつかを割り当てる。削減帯域幅通信デバイス（例えば、ＭＴＣデバイス）２０７がさらに通信システムに接続し且つそれを利用できるようにするために、ノード２０１は、例えばＭ−ＰＤＣＣＨおよびＭ−ＰＤＳＣＨとして使用するために無線周波数リソースの他の部分も割り当てる。上述したように、これらのチャネルは、レガシシステムに相当するもの（しかし、上述したように、それらはいくつかの態様において異なってもよい）に実質的に対応するが、削減帯域幅通信デバイスが通信システムに接続し且つそれを利用できるようにサイズおよび時間を調整される。
【００４１】
次に、これらの態様および他の態様をさらに詳細に説明する。様々に説明される特徴を理解しやすくするために、ＬＴＥシステムと関連付けられた用語および特徴を使用する。しかし、これは、例のためだけに使用され、本発明と整合性のある種々の実施形態がＬＴＥシステムにおいてのみ使用可能であると示唆することを意図しない。逆に、本発明に則した種々の実施形態が実現可能であり、従来のＬＴＥシステムと同一の課題（例えば、実用的なＭＴＣデバイスで満たすことが可能な帯域幅および／または処理電力を超えてしまうような要求）を内包し、且つ従来のＬＴＥシステムと同様の方法でリソースを割り当てる機能を提供するあらゆる同等の通信システムにおいても、本発明は使用可能である。
【００４２】
ＬＴＥ物理層ダウンリンク伝送はＯＦＤＭをベースとしている。従って、基本のＬＴＥダウンリンク物理リソースは、図３に示されるような時間周波数グリッドであるとみなされうる。図３において、いわゆる「リソースエレメント」の各々は、１つのＯＦＤＭシンボルインターバルの間に１つのＯＦＤＭサブキャリアに対応する。
【００４３】
図４に示されるように、周波数領域におけるダウンリンクサブキャリアはリソースブロック（ＲＢ）にグループ化される。図４において、各リソースブロックは、１８０ｋＨｚの公称リソースブロック帯域幅に対応する１つの０．５ｍｓスロットの間中１２個のサブキャリア（通常のサイクリックプレフィックスが使用される場合に（示されるように）７個のＯＦＤＭシンボルまたは拡張サイクリックプレフィックスが使用される場合に６個のＯＦＤＭシンボル）から構成される。
【００４４】
従って、ＤＣサブキャリアを含むダウンリンクサブキャリアの総数は、Ｎｃ＝１２・ＮＲＢ＋１に等しく、式中、ＮＲＢは、１２・ＮＲＢ個の使用可能なサブキャリアから形成されうる最大数のリソースブロックである。ＬＴＥ物理層仕様は、実際には、１．４ＭＨｚから２０ＭＨｚの公称送信帯域幅に対応するＮＲＢ−ｍｉｎ＝６個以上のあらゆる数のリソースブロックからダウンリンク搬送波を構成できるようにする。これは、少なくとも物理層仕様の観点から非常に高いＬＴＥ帯域幅／スペクトルの柔軟性を実現する。
【００４５】
図５ａおよび図５ｂは、ＬＴＥダウンリンク伝送のための時間領域構造を示す。１ｍｓサブフレーム５００の各々は、長さＴｓｌｏｔ＝０．５ｍｓ（＝１５３６０・ＴＳであり、各スロットは１５，３６０個の時間単位ＴＳを含む）の２つのスロットから構成される。各スロットは、多数のＯＦＤＭシンボルから構成される。
【００４６】
サブキャリア間隔Δｆ＝１５ｋＨｚは、有効シンボル時間Ｔｕ＝１／Δｆ≒６６．７μｓ（２０４８・ＴＳ）に対応する。全体的なＯＦＤＭシンボル時間は、有効シンボル時間とサイクリックプレフィックス長ＴＣＰの和である。２つのサイクリックプレフィックス長が規定される。図５ａは、スロット毎の７個のＯＦＤＭシンボルを通信できる通常のサイクリックプレフィックス長を示す。通常のサイクリックプレフィックスの長さＴＣＰは、スロットの第１のＯＦＤＭシンボルに対して１６０・ＴＳ≒５．１μｓであり、残りのＯＦＤＭシンボルに対して１４４・ＴＳ≒４．７μｓである。
【００４７】
図５ｂは、サイズがより長いために、スロット毎に６個のＯＦＤＭシンボルしか通信できない拡張サイクリックプレフィックスを示す図である。拡張サイクリックプレフィックスの長さＴＣＰ−ｅは、５１２・ＴＳ≒１６．７μｓである。
【００４８】
通常のサイクリックプレフィックスの場合、スロットの第１のＯＦＤＭシンボルに対するサイクリックプレフィックス長は、残りのＯＦＤＭシンボルに対するものよりある程度大きいことが明らかとなる。これは、スロット毎の時間単位ＴＳの数として０．５ｍｓスロット全体を単純に補充することが７個のＯＦＤＭシンボルにより均等に分割可能でないからである。
【００４９】
リソースブロックのダウンリンク時間領域構造が考慮される場合（すなわち、０．５ｍｓスロットの間に１２個のサブキャリアを使用すること）、各リソースブロックは、通常のサイクリックプレフィックス（図４に示された）の場合に１２・７＝８４個のリソースエレメントから構成され、拡張サイクリックプレフィックス（不図示）の場合に１２・６＝７２個のリソースエレメントから構成されることがわかる。
【００５０】
端末の動作の別の重要な態様は、セルサーチ、同期および信号電力測定の手順を含むモビリティである。セルサーチは、端末が潜在的に接続できるセルを自身が発見する手順である。セルサーチ手順の一部として、端末は、セルのアイデンティティを取得し、識別されたセルのフレームタイミングを推定する。セルサーチ手順は、システムにアクセスするために必要とされる残りのパラメータを含むブロードキャストチャネルでシステム情報（ＳＩ）を取得するために必須のパラメータも提供する。
【００５１】
複雑なセル設計を回避するために、物理層セルアイデンティティ（セル識別情報）の数は十分に多くあるべきである。例えば、ＬＴＥ規格に従うシステムは５０４個の種々のセルアイデンティティをサポートする。これらの５０４個の種々のセルアイデンティティは、それぞれ３つのアイデンティティの１６８個のグループに分割される。
【００５２】
セルサーチの複雑さを軽減するために、一般にＬＴＥに対するセルサーチは、知られている広帯域符号分割多元接続（ＷＣＤＭＡ）システムの３つのステップのセルサーチ手順に類似する処理を構成するいくつかのステップで実行される。この手順で端末を支援するために、ＬＴＥは、ダウンリンク上で１次（プライマリ）同期信号および２次（セカンダリ）同期信号を提供する。これは、ＬＴＥシステムの無線インタフェースの構造を示す図６において示される。ＬＴＥシステムの物理層は、１０ｍｓの持続期間を有する汎用無線フレーム６００を含む。図６は、ＬＴＥ周波数分割二重通信（ＦＤＤ）システムに対する１つのそのようなフレーム６００を示す。各フレームは、各々が一般に７個のＯＦＤＭシンボルから構成される０．５ｍｓの持続期間を有する２０個のスロット（０から１９の番号を付けられた）を有する。サブフレームは、隣接する２つのスロットから構成されるため、一般に１４個のＯＦＤＭシンボルから構成される１ｍｓの持続期間を有する。１次同期信号および２次同期信号は、特定のシーケンスであり、サブフレーム０および５の各々の第１のスロットにおける最後の２つのＯＦＤＭシンボルに挿入される。１次同期信号は、２次同期信号が占有するより狭い帯域幅を占有できる。同期信号に加え、セルサーチ手順の動作の一部は、送信された信号の知られている位置において送信される基準信号も利用する。
【００５３】
図７は、レガシーＬＴＥ  ＦＤＤセルの無線インタフェース（時間周波数グリッド）の構造を示す。レガシーＬＴＥ  ＦＤＤセルに割り当てられた無線周波数スペクトルは、１．４ＭＨｚ（７２個のサブキャリアまたは６個のＲＢ）の最も狭いダウンリンクシステム帯域幅より広いことがわかるだろう。サブフレーム１〜３および６〜８は、ＭＢＳＦＮに対して使用されてもよく、あるいはシグナリングされて他の目的のために使用されてもよい。その場合、ＵＥは、第１のＯＦＤＭシンボル間隔を超えて基準信号を期待できない。（図面が雑然とするのを回避するために、図７は、各サブフレーム内に各ＯＦＤＭシンボル間隔を示さない。）物理報知チャネル（ＰＢＣＨ）（ＭＩＢを搬送する）および同期信号は、中央の７２個のサブキャリアにわたり既知のＯＦＤＭシンボル位置において送信される。
【００５４】
ホストセルおよびＭ−セルを同時にサポートするようにノード（例えば、ノード２０１）を動作することは、多数の態様を含み、その態様のうちのいくつかは他の態様の代替例であり、いくつかの代替例は共に使用可能である。本発明と整合性のある種々の実施形態が説明される時、これはより明らかとなる。
【００５５】
図８は、１つの点で、本発明の必ずしも全てではないがいくつかの例示的な実施形態に係る通信システムノードにより実行されるステップ／処理を示すフローチャートである。別の点で、図８は、説明される機能を実行するように構成された種々の示された回路網（例えば、ハードワイヤードプロセッサおよび／または適切にプログラムされたプロセッサ）を含む例示的な手段８００を示すものとして考えられうる。
【００５６】
ＭＴＣデバイスをサポートするために、一般的な信号およびブロードキャストチャネル（ＭＩＢが送信される）を送信されるリソースエレメントの時間／周波数グリッドに対応したバッファにデータを挿入すること（ステップ８０１）により、ノードは送信されるデータを準備する。特定のサブフレームの特定の時間間隔（本明細書において「第２の時間間隔」でも示される）で、周波数において隣接し、且つＭＴＣデバイスが対処できるものより広くない帯域幅（本明細書において「第２の帯域幅」でも示される）を全体で占有するＲＢペアの１つ以上のブロックを予約すること（ステップ８０３）により、ノードは１つ以上のＭ−セルを作成する。ホストセルシステム帯域幅（本明細書において「第１の帯域幅」でも示される）全体にまたがる従来の（レガシー）ＰＤＣＣＨは、第１のＯＦＤＭシンボル間隔（本明細書において「１つ以上の第１の時間間隔」で示される）の１、２または３に挿入される（ステップ８０５）。Ｍ−ＰＤＣＣＨは、予約されたＲＢの帯域幅にまたがる時間シフトされたレガシーＰＤＣＣＨに対応してもよいが、この予約されたＲＢの全てを使用することに制限されない。Ｍ−ＰＤＣＣＨは、Ｍ−ＰＤＳＣＨでもあり、いくつかの数の予約されたリソースエレメントに挿入される（ステップ８０７）。予約されたリソースエレメントは、何らかのレガシー物理チャネルが配置されるシンボル以外のいずれかのシンボルに配置されうる。Ｍ−ＰＤＣＣＨが挿入されるＯＦＤＭシンボル時間を事前にＭＴＣデバイスに認識させてもよく（例えば、ＭＴＣデバイスにシグナリングすることにより、または標準化を介して実質的に認識させる）、あるいはＭＴＣデバイスは、Ｍ−ＰＤＣＣＨを検出するためにブラインド検出技術を使用してもよい。
【００５７】
Ｍ−ＰＤＣＣＨは、同一のサブフレーム内のＭ−ＰＤＣＣＨの直後に時間毎のＭ−ＰＤＳＣＨ割り当てを指摘してもよい。あるいは、制御シグナリングは、Ｍ−ＰＤＣＣＨにより指摘された実際の割り当てがＭ−セルを搬送する後のサブフレームにおいて後続するようにさらにずらされてもよい。この後のサブフレームの時間における厳密な位置は、ＭＴＣデバイスにより演繹的に認識されたＭ−ＰＤＣＣＨによりＭＴＣデバイスにシグナリングされてもよく、あるいはＭＴＣデバイスにより無条件に検出されてもよい。Ｍ−ＰＤＳＣＨに割り当てられた周波数は、Ｍ−ＰＤＣＣＨにより占有された同一の帯域幅内にあってよいが、別の実施形態では異なるＭＴＣ対応の周波数帯域幅を占有してよい。
【００５８】
全ての情報が挿入されると、チャネルは、符号化および送信される（ステップ８０９）。
【００５９】
図９は、図８を参照して説明されるような方法でノードがホストセルおよびＭ−セルを作成している例示的なサブフレームの時間周波数グリッドを示す図である。この限定しない例において、ホストセルの制御チャネル（ＰＤＣＣＨ）は、無線周波数スペクトルの第１の帯域幅９０１にわたる。Ｍ−セルの制御チャネル（Ｍ−ＰＤＣＣＨ）は、第１の帯域幅より狭い無線周波数スペクトルの第２の帯域幅９０３を占有する。この限定しない例においてさらに示されるように、無線周波数スペクトルの第２の帯域幅は、無線周波数リソースの第１の帯域幅の周波数毎の位置内に周波数毎に配置される。よって、ＲＢのペアは、Ｍ−セルが使用するために予約されている。第１のＯＦＤＭシンボルは、全ダウンリンクシステム帯域幅９０１にわたるレガシー（ホストセル）ＰＤＣＣＨ（斜線縞により示された）を搬送する。予約されたＲＢペアにおいて、後続のＯＦＤＭシンボルのうちのいくつかは、全システム帯域幅には及ばないＭ−ＰＤＣＣＨ（横縞により示された）（例えば、６個のＲＢ）を搬送するため、ＭＴＣデバイスにより受信可能である。予約されたＲＢにおける残りのリソースエレメントは、Ｍ−ＰＤＳＣＨ（格子状の斜線により示された）を搬送してもよい。基準信号（黒色の正方形により示された）がレガシーＵＥおよびＭＴＣデバイスの双方が使用するために使用可能であるように全ダウンリンクシステム帯域幅にわたりシステムが指定した位置をポピュレートすることを除けば、ＰＤＣＣＨおよび予約されたＲＢの外側の残りのリソースエレメントは、ホストセルＰＤＳＣＨ（空白により示された）を搬送してもよい。
【００６０】
次に、ホストセルおよびＭ−セルを同時にサポートするようにノード（例えば、ノード２０１）を動作する別の方法に説明の焦点を移す。この代替例の種々の態様を図１０に示す。図１０は、１つの点で、本発明の必ずしも全てではないがいくつかの例示的な実施形態に係る通信システムノードにより実行されるステップ／処理を示すフローチャートである。別の点で、図１０は、説明される機能を実行するように構成された種々の示された回路網（例えば、ハードワイヤードプロセッサ回路網または適切にプログラムされたプロセッサ回路網）を含む例示的な手段１０００を示すものとして考えられうる。
【００６１】
これらの実施形態において、ノードは、Ｍ−セルとして独占的に使用するために特定のサブフレームを予約する（ステップ１００１）。これは、予約されたサブフレームに搬送されたホストセル情報がないことを意味する。動作中、ノードは、現在のサブフレームが予約されたサブフレームのうちの１つであるかを検査する（判断ブロック１００３）。現在のサブフレームが予約されたサブフレームのうちの１つでない（判断ブロック１００３からの「ＮＯ」パス）の場合、ノードは、ホストシステムの規格に従って全ての信号およびチャネルを挿入して送信する（ステップ１００５）。
【００６２】
予約されたサブフレームの各々において、周波数毎に互いの上部に種々のＭ−セルを積み重ねることにより、ノードの無線周波数リソースを効率的に使用できるようになる。しかし、これはいずれの特定の実施形態においても必要条件ではない。従って、現在のサブフレームが予約されたサブフレームのうちの１つである（判断ブロック１００３からの「ＹＥＳ」パス）場合、ノードは、ＲＢペアを１つ以上のＭ−セルにセグメント化する（ステップ１００７）。次にノードは、一般的な信号およびブロードキャストチャネルを挿入する（ステップ１００９）。一般的なチャネルは、ホストセル（例えば、基準信号）に対して使用されたチャネルと同一であるか、あるいはその部分集合である。
【００６３】
各Ｍ−セルは、Ｍ−セルのシステム帯域幅（ホストセルのシステム帯域幅より狭い）にまたがってもよいＭ−ＰＤＣＣＨを有する。このＭ−ＰＤＣＣＨは、Ｍ−セルがまたがる帯域幅に対するレガシーＰＤＣＣＨに対応してもよいが、そのように限定されない。従って、いくつかの実施形態において、Ｍ−ＰＤＣＣＨは、より狭い帯域幅を有するレガシーセルの一部であった場合に、ちょうどレガシーＰＤＣＣＨのように動作してよい。このように、Ｍ−セルは、予約されたサブフレームの間に厳密にレガシーセルのように機能するようにされてよい。別の実施形態において、レガシーＰＤＣＣＨコンプライアンスから逸脱しうる。例えばＭ−ＰＤＣＣＨは、Ｍ−セルに対して予約された帯域幅全体を範囲に含まなくてもよい。別の例において、Ｍ−ＰＤＣＣＨは、レガシーＰＤＣＣＨ符号化とは異なる方法で符号化されてもよい（例えばＭ−ＰＤＣＣＨは、レガシーＰＤＣＣＨにおいては許可されない形態を含んでもよい）。
【００６４】
図８および図９を参照して上述した実施形態と同様に、Ｍ−ＰＤＣＣＨは、同一のサブフレームにおけるＭ−ＰＤＣＣＨの直後に時間毎および／または周波数毎のＭ−ＰＤＳＣＨ割り当てを指摘してもよい。あるいは、制御シグナリングは、Ｍ−ＰＤＣＣＨにより指摘された実際の割り当てがＭ−セルを搬送する後のサブフレームにおいて後続するようにずらされてもよい。さらにＭ−ＰＤＣＣＨは、アップリンク（ＵＬ）上でＭＴＣデバイスにより実行される送信のためのグラントおよび電力制御コマンド（ＴＰＣ）等であるがそれらに限定されない追加情報を搬送してもよい。
【００６５】
従って、ノードは、現在のサブフレーム内の計画されたＯＦＤＭシンボル間隔（第２の時間間隔）でＭ−セルのＭ−ＰＤＣＣＨおよびＭ−ＰＤＳＣＨをＲＢペアのセグメントに挿入する（ステップ１０１１）。全ての情報が配置されると、チャネルは符号化および送信される（ステップ１０１３）。次にノードは、送信される次のサブフレームを選択し（ステップ１０１５）、判断ブロック１００３に戻ることで新たに選択された「現在の」サブフレームに対する処理を繰り返す。
【００６６】
図１１は、上述したように複数のＭ−セルが予約されたサブフレーム内に積み重ねられうる方法を示す時間周波数グリッドである。図１１において、サブフレーム１および６は、Ｍ−セルとして独占的に使用するために予約され、これらのサブフレームの各々は、１以上の整数であるＭ−セルの何らかの番号ｎに区分される。残りのサブフレーム０、２〜５および７〜９は、ホストセルとして使用可能である。
【００６７】
図１２は、１  ≦  ｍ  ≦  ｎである１つ以上のＭ−セル１．．ｍ．．ｎが独占的に使用するためにノードにより予約されている例示的なサブフレームの時間周波数グリッドを示す図である。これらのサブフレームは、図１０および図１１に関連して説明されたような方法で作成されている。レガシーＰＤＣＣＨは、このサブフレームにおいて送信される必要はない。従って、各Ｍ−セルにおいて送信されたＭ−ＰＤＣＣＨは、第１のＯＦＤＭシンボル間隔で開始できる。基準信号（黒色の正方形により示された）がダウンリンクシステム帯域幅の全域にわたりシステムが指定した位置に依然として配置されることを除けば、各Ｍ−セルにおける残りのリソースエレメントは、Ｍ−ＰＤＳＣＨに対して使用される。
【００６８】
レガシーＵＥが予約されたサブフレームにおいてＰＤＣＣＨを復号化しようとする（その復号化動作は必然的に失敗する）のを防止するために、予約されたサブフレームは、ホストセルシステム情報において制限されたサブフレームまたはＭＢＳＦＮサブフレームとして指摘されてもよい。しかし、これは、全ての実施形態における必要条件ではない。
【００６９】
別の態様において、Ｍ−セルのＭ−ＰＤＣＣＨは、ホストセルにおいてＰＤＣＣＨを搬送するシンボルに追加またはパンクチャされてもよい。Ｍ−セルが極めて重要な静的な情報を物理制御フォーマットインジケータチャネル（ＰＣＦＩＣＨ）等のホストセルＰＤＣＣＨ上でオーバラップすることがないように、特別な配慮がなされてもよい。
【００７０】
さらに他の実施形態において、ノードは、いくつかのサブフレームが図８および図９に関連して上述したような方法でホストセルおよび１つ以上のＭ−セルの双方をサポートするよう手配してもよく、図１０〜図１２に関連して上述したような方法でＭ−セルを独占的に使用するために他のサブフレームをさらに予約してもよい。
【００７１】
次に、ノードがＭＴＣに関連したシステム情報（Ｍ−ＳＩ）をＭＴＣデバイスに供給する方法に注目して説明する。ノードは、
・ランダムアクセスパラメータ（すなわち、どのアクセスシーケンスおよびどの時間周波数位置を使用するかを示す情報）、並びに／あるいは
・Ｍ−セルのサブフレームパターン（またはこれを推定できるようにする情報）、並びに／あるいは
・ホストセルのサブフレームパターン（ＣＲＳを含むサブフレーム）（またはこれを推定できるようにする情報）
等の情報を無制限に含むＭ−ＳＩブロック（Ｍ−ＳＩＢ）を送信してもよい。
【００７２】
Ｍ−ＳＩは、他のシグナリングにより（例えば、ホストセルにより送信され且つその限定帯域幅のためにＭＴＣデバイスによりさらに受信可能であるＭＩＢにより）指摘された位置または最初にＭＴＣデバイスがホストセルにアクセスする時に無条件に検出されるＭ−ＰＤＣＣＨにより明らかにされる位置において、ＭＴＣ規格に従って事前に判定された時間周波数位置において送信されてもよい。Ｍ−ＳＩは、限定帯域幅（例えば、６個のＲＢ）にわたり送信される。Ｍ−ＳＩは、ホストセルの搬送周波数の中央にあるＭ−セルにおいて送信されてもよいが、そのように限定されない。６個のＲＢの帯域幅にわたりホストセル搬送波周波数の周囲に送信される場合、ＭＴＣデバイスは、６個のＲＢの帯域幅にわたり且つ無線の周波数を変更することなく、セルサーチ、ＭＩＢ取得およびＳＩ取得を実行できる。
【００７３】
本発明に則した実施形態の他の態様は、Ｍ−セルとの接続を確立するためにＭＴＣデバイスが適切なランダムアクセスチャネルを使用できるようにすることに関する。いくつかの代替例が可能である。これらの代替例のうちの１つにおいて、ＭＴＣデバイスは、最初にホストセルと関連付けられたＭ−セルに接続する時、ホストセル搬送波周波数の中央にあり且つ標準化等を利用して全てのＭＴＣデバイスに認識されるＭＴＣ「アトラクタ」セルに対するランダムアクセスを実行することにより接続してもよい。アトラクタＭ−セルは、Ｍ−ＳＩを送信するものと同一のセルであってもよい。ランダムアクセス時間／周波数リソースは、ホストセルにおいて使用されるものと同一であってもよい。
【００７４】
アトラクタＭ−セルは、ランダムアクセス要求を行うＭＴＣデバイスのうちの１つ以上をサポートできるかもしれないが、一般には全てのリクエスタをサポートできない。従って、ランダムアクセス手順に応答して、ノードは、それがこのＭ−セルに接続されるＭＴＣデバイスに適さない場合に他のＭ−セルのうちの１つにＭＴＣデバイスを誘導するメッセージを要求側のＭＴＣデバイスに送出する。その後、ＭＴＣデバイスは、別の方法でシグナリングされるまで無線リソース制御「アイドル」（ＲＲＣ＿ＩＤＬＥ）と無線リソース制御「接続されている」（ＲＲＣ＿ＣＯＮＮＥＣＴＥＤ）との状態遷移を通して自身が誘導されている対象のＭ−セルを記憶している。
【００７５】
アトラクタＭ−セルを使用する代わりに、いくつかの実施形態において、ＭＴＣデバイスは、例えばＭＴＣデバイスのＩＭＳＩ（国際移動加入者識別番号）、ホストセル帯域幅およびＭ−ＳＩからの情報を無制限に考慮してもよい標準化された式に基づいて対象のＭ−セル自体を判定する。この方法において、ＭＴＣデバイスは、ＭＩＢおよびＭ−ＳＩを読み出した後、直接対象のＭ−セルに対してランダムアクセスを実行する。しかし、この場合でさえ、ＭＴＣデバイスをさらに別のＭ−セルに転送する機構は、ノードによる更なる負荷分散を可能にするために依然としてサポートされてもよい。
【００７６】
Ｍ−ＳＩおよびＭ−セルに対するランダムアクセス手順に関連した本発明の態様をさらに説明するために、１つの点で、本発明の必ずしも全てではないがいくつかの例示的な実施形態に係るＭＴＣデバイスにより実行されるＭ−セルサーチおよび接続に関連するステップ／処理を示すフローチャートである図１３が提示される。別の点で、図１３は、Ｍ−セルサーチおよび接続を実行するＭＴＣデバイスにおいて説明される機能を実行するように構成された種々の示された回路網（例えば、ハードワイヤードプロセッサ回路網および／または適切にプログラムされたプロセッサ回路網）を含む例示的な手段１３００を示すものとして考えられうる。
【００７７】
最初に、ＭＴＣデバイスは、Ｍ−セルサーチを実行し、セルのアイデンティティおよびタイミングを判定する（ステップ１３０１）。尚、ホストセルは、各々が無線周波数リソースの１．４ＭＨｚ（６個のＲＢ）しか占有しない１次同期信号および２次同期信号（例えば、図６および図７を参照）を利用して自身のセルサーチをサポートする。従って、ＭＴＣデバイスは、自身のＭ−セルサーチを実行するためにこれらの同一の信号を使用できる。
【００７８】
次にＭＴＣデバイスは、本明細書において「Ａｌｔ  Ａ１」、「Ａｌｔ  Ａ２」および「Ａｌｔ  Ａ３」で示される３つの例示的な代替例のうちのいずれか１つに従ってそのシステム情報（Ｍ−ＳＩ）を取得する。最初にＡｌｔ  Ａ１を見ると、ＭＴＣデバイスは、ホストセルにより送信されるＭＩＢを読み出す（ステップ１３０３）。ホストセルにおいてもＭＩＢがわずか１．４ＭＨｚ（６個のＲＢ）しか占有しないため、これは可能である。本実施形態において、ＭＩＢは、Ｍ−ＳＩが送信されている場合に配置されてもよい１つ以上の可能な次の位置を識別する（すなわち、時間／周波数の点で）情報を含む。この情報に基づいて、ＭＴＣデバイスは、Ｍ−ＳＩから情報を検出および取得するためにブラインド検出技術を使用する（ステップ１３０５）。
【００７９】
次に、Ａｌｔ  Ａ２で示された実施形態を見ると、ＭＴＣデバイスは、ホストセルにより送信されるＭＩＢを読み出す（ステップ１３０７）。本実施形態において、ＭＩＢは、次のＭ−ＳＩの厳密な時間／周波数位置を直接または間接的に判定できる情報を含む。すなわち、ＭＩＢは、次のＭ−ＳＩの時間／周波数位置を直接含むか、あるいはこれを間接的に示す１つ以上のレベルを利用してそれを提供する。このレベルを、本発明を限定するもではない一例として使用することにより、ＭＩＢは、ＭＴＣデバイスにより読み出し可能であり、且つ次のＭ−ＳＩの厳密な時間／周波数位置を含む次の情報の時間／周波数位置を含む。この情報に基づいて、ＭＴＣデバイスは、Ｍ−ＳＩから情報を検出および取得する（ステップ１３０９）。
【００８０】
次に、Ａｌｔ  Ａ３で示された実施形態を参照すると、ＭＴＣデバイスは、ホストセルにより送信されるＭＩＢを読み出す（ステップ１３１１）。この代替例において、ＭＴＣデバイスは、次のＭ−ＳＩがある時間／周波数位置を示す情報を事前に供給されている（例えば、標準化を介して）が、Ｍ−ＳＩがいずれかの特定のサブフレームにおいて送信されているかについては認識していない。従って、ＭＩＢがこの情報を提供する（例えば、「Ｍ−ＳＩが存在する」または「Ｍ−ＳＩが存在しない」と示すフラグを利用して）結果、ＭＴＣデバイスはＭ−ＳＩを読み出そうとするか否かを認識する。Ｍ−ＳＩが次の認識された位置に存在することをＭＩＢが示すと仮定すると、ＭＴＣデバイスはその位置においてＭ−ＳＩを読み出す（ステップ１３１３）。
【００８１】
代替例Ａｌｔ  Ａ１、Ａｌｔ  Ａ２またはＡｌｔ  Ａ３のうちのいずれか、あるいは他の何らかの等価の代替例が完了すると、ＭＴＣデバイスはＭＩＢおよびＭ−ＳＩを読み出した。従って、ＭＴＣデバイスは、この時点でＭ−セルへの接続設定を実行する準備ができている。本発明に則した実施形態の他の態様において、接続設定を実行することは、多数の別の方法のうちのいずれかで実行されてよく、そのうちの２つを図１３に示す。これらは、それぞれ、Ａｌｔ  Ｂ１およびＡｌｔ  Ｂ２で示される。
【００８２】
最初にＡｌｔ  Ｂ１を見ると、ここでの状況は、ＭＴＣデバイスが、自身が最終的に誘導される対象のＭ−セルの時間／周波数位置を認識しないが、ＲＡＣＨ手順を実行するための初期のＭ−セルの位置を認識する（例えば、上述したように「アトラクタ」セルを使用すること、あるいはＭＩＢ情報から直接または間接的に取得された情報を利用すること等により標準化を介して）状況である。従って、ＭＴＣデバイスは、この「初期の」Ｍ−セルへの接続設定を実行する（例えば、Ｍ−ＳＩから取得したＲＡＣＨパラメータを使用して）（ステップ１３１５）。初期のＭ−セルへのこのアクセスに応答して、ＭＴＣデバイスは、対象のＭ−セルの時間／周波数位置を示す情報を受信する（ステップ１３１７）。対象のＭ−セルは、初期のＭ−セルと同一のセルであってよく、あるいは異なるＭ−セルであってよいことが可能である。
【００８３】
対象のＭ−セルの時間／周波数位置を習得すると、ＭＴＣデバイスは、対象のＭ−セルにチューニング（同調）および接続する（ステップ１３１９）。次に、ＭＴＣデバイスは、通信の必要性を満足するために通信システムを利用してもよい。
【００８４】
次に、Ａｌｔ  Ｂ２を考慮すると、このシナリオの前提は、ＭＴＣデバイス自身が対象のセルの時間／周波数位置を判定できることである。例えばそれは、上述したようなアトラクタセルがＭＴＣデバイスに対する対象のセルである場合にも当てはまる。他の代替例において、ＭＴＣデバイスは、ＭＴＣデバイスに既に認識されている情報に基づいて時間／周波数位置を生成してもよい（上述したように）。そのような情報は、ＭＴＣデバイスのＩＭＳＩ、ホストセル帯域幅およびＭ−ＳＩからの情報のいずれかまたは全てを無制限に含んでもよい。従って、ＭＴＣデバイスは、自身が対象のＭ−セルの時間／周波数位置を判定して（ステップ１３２１）、既に判定されているＲＡＣＨ手順に従って（例えば、Ｍ−ＳＩから取得されたＲＡＣＨパラメータを使用して）対象のＭ−セルへの接続設定を実行する（ステップ１３２３）ことにより開始する。
【００８５】
本発明に則した実施形態の他の態様において、ＭＴＣデバイスがその動作可能な帯域幅が中央にある周波数を変更できるという事実が有利に使用される。一態様において、いくつかの実施形態は、複数のＭ−セルのうちの１つのみにおいてＭ−ＳＩを送信する。Ｍ−ＳＩが送信されるＭ−セルのうちの特定の１つのＭ−セルは、ある期間にわたり静的であってよく、あるいは経時変化してもよい（しかし、依然として一度にＭ−セルのうちの１つのＭ−セルにだけ現れる）。これらの実施形態のうちの各々は、結果としてホストセルの無線周波数リソースを効率的に使用する。
【００８６】
上述した態様の特徴を示すために、図１４は、１つの点で、本発明の必ずしも全てではないがいくつかの例示的な実施形態に係るＭＴＣデバイスにより実行されるステップ／処理を示すフローチャートである。別の点で、図１４は、説明される機能を実行するように構成された種々の示された回路網（例えば、ハードワイヤードプロセッサおよび／または適切にプログラムされたプロセッサ）を含む例示的な手段１４００を示すものとして考えられうる。
【００８７】
ＭＴＣデバイスは、上述した方法のうちのいずれかの方法で対象のＭ−セルに接続する。その後、対象のＭ−セルは、ＭＴＣデバイスのサービングＭ−セルとして動作する。従って、ＭＴＣデバイスは、サービングＭ−セルに割り当てられるホストセルの無線周波数スペクトルのその部分にチューニングされた無線機器と共に通信システムにおいて動作する（ステップ１４０１）。
【００８８】
これは、Ｍ−ＳＩを再度読み出す必要性が生じるまで（例えば、システム情報の期限が切れるか、あるいはシステム情報が変化したことをＭＴＣデバイスが通知される場合に）継続する。これが起こる場合、ＭＴＣデバイスは、異なる無線周波数領域、すなわちＭ−ＳＩを搬送するリソースブロックを含む周波数領域において動作できるように無線機器をチューニングする（ステップ１４０３）。ＭＴＣデバイスが使用した周波数領域のいくつかまたは全ては、ホストセルの動作帯域幅内に配置されてもよいが、別の実施形態ではホストセルの制御下で他の無線周波数帯域に配置されてもよい。異なる無線周波数帯域にチューニングすることは、技術的な観点から、異なる周波数または全てが同一の周波数帯域内にある周波数の集合にチューニングする標準的な無線機器とは異なることが理解されるだろう。例えば、フィルタに対する要求は非常に異なる。
【００８９】
その中でそれがＭ−ＳＩの周波数と一致するように動作している周波数領域を変更すると、ＭＴＣデバイスは、Ｍ−ＳＩを読み出して（１４０５）、その周波数領域をサービングＭ−セルにより占有される周波数領域に再度チューニングする（ステップ１４０７）ため、その動作を継続できる。
【００９０】
いくつかのＭＴＣデバイスがサービングＭ−セルとの通信および更新されたＭ−ＳＩの受信の双方を行うために周波数領域間でホップしている間、同一のホストシステムを有する他のいくつかのＭＴＣデバイスに対して、サービングＭ−セルおよびＭ−ＳＩを送信しているＭ−セルは全く同一のＭ−セルであってよいことが理解されるだろう。
【００９１】
本発明に則した実施形態のさらに別の態様において、周波数の多様性は、事前定義済みの周波数ホップシーケンスを使用してＭ−セルに割り当てられた実際のリソースブロックを変動させることで向上されうる。実際の周波数ホップパターンは、必ずしも全てではないがいくつかの実施形態において、ダウンリンク方向およびアップリンク方向で異なってよい。
【００９２】
次に、基準信号に注目して説明する。上述したように、ＭＴＣデバイスは、ホストシステムの全ダウンリンクシステム帯域幅にわたりシステムが指定した位置を割り当てる基準信号（例えば、ＣＲＳ）を利用できる。そのような基準信号は、例えば図９および図１２に示された黒色の正方形として示される。この方法により、ＭＴＣデバイスは、チャネル推定、無線リソース管理（ＲＲＭ）および無線リンク監視（ＲＬＭ）の測定のために更なるサブフレームを使用できる。これらの基準信号を利用するために、ＭＴＣデバイスは、自身のＭ−セルとホストセルとの間の周波数オフセットを考慮する。周波数オフセットは、ホストセルの中央のサブキャリアとＭ−セルの中央のサブキャリアとの間のオフセットである。また、ＬＴＥおよび同様のシステムの場合、使用可能な周波数帯域幅（第１の帯域幅）の中心周波数は、標準化により未使用のままである。Ｍ−セルの周波数領域が偶然ホストセルの中心周波数の中心にない限り、これは、Ｍ−セルの周波数領域（第１の帯域幅より狭い第２の帯域幅を有する）には当てはまらない。
【００９３】
しかし、必ずしも全てではないがいくつかの実施形態において、Ｍ−セルは、自身の基準信号（すなわち、ホストセルにより送信されたものとは異なる基準信号）を使用してもよい。これらの実施形態のうちのいくつかにおいて、ＭＴＣデバイスは、ホストセル構成に基づいて、ホストセル基準信号により占有されたリソースを考慮することにより、リソースのマッピングおよび／または復号化に対する利点を依然として得てもよい。ＭＴＣデバイスは、上述のＭ−ＳＩを解析することでＭ−セルサブフレームに加えて自身が使用できるサブフレームを推定できる。
【００９４】
さらに他の態様は、受信および送信に関し、特にＭＴＣデバイスと併せてＨＡＲＱを使用することに関する。ＨＡＲＱに対するラウンドトリップ時間は、一般に、ホストセルに接続しているデバイスに対する標準化により設定される。しかし、上述したように、ＭＴＣデバイスには、肯定応答（ＡＣＫ）または否定応答（ＮＡＣＫ）がデータ発信元に再送される必要のある時間とデータの受信との間の迅速なターンアラウンドを満足するために必要とされる処理電力がないことが多い。ユニキャストトラフィックの全ての受信および初期のランダムアクセスがサービングＭ−セルにおいて実行された後の全ての送信から、本発明に則したいくつかの実施形態の別の態様において、ＨＡＲＱに対するラウンドトリップ時間は、Ｍ−セルサブフレームパターンを考慮するように構成される。従って、ＭＴＣデバイスは、ＡＣＫ／ＮＡＣＫを返送することを要求される前に、データの受信後により多くの時間を有してもよい。
【００９５】
また、（上述したような）Ｍ−ＰＤＣＣＨスタッガリング（ずらし）がサポートされる場合、ラウンドトリップ時間は、これも考慮するようにさらに変更される。
【００９６】
本発明に則したいくつかの実施形態のさらに他の態様は、ＭＩＢまたは演繹的に認識された時間／周波数位置において組み込まれうる他の何らかの信号を介してＭ−セルの機能性を明らかにするノードを含む。後者は、演繹的に認識されたＭ−ＳＩ無線ネットワーク一時識別子（Ｍ−ＳＩ−ＲＮＴＩ）を使用してＭ−ＳＩに対するＭ−ＰＤＣＣＨを無条件に復号化しようとするＭＴＣデバイスを備えてもよい。
【００９７】
いくつかの実施形態において、ＭＴＣデバイスがＭ−セルおよび／またはＭ−ＰＤＣＣＨ、並びに／あるいはＭ−ＳＩを配置し、且つ／あるいはそれがＭ−ＲＡＣＨ手順を実行できる方法を認識できるようにするために有用な情報をＭＩＢがＭＴＣデバイスに供給できることが上述された。次に、図１５を参照して、これらの態様をさらに詳細に説明する。図１５は、ＭＩＢ１５０１およびホストセルスペクトルリソース内の種々の他のＭＴＣ要素に対するその関係を示すタイミング／周波数図である。
【００９８】
一態様において、ＭＩＢ１５０１（ホストセルにおける標準的な位置を占有する）は、リソースブロックの位置および／またはシステム標準化された位置において（例えば、ＬＴＥシステムにおけるサブフレーム５において）送信される第１のシステム情報ブロック（ＳＩＢ１）に割り当てられた変調および符号化方式（ＭＣＳ）をＭＴＣデバイスに通知する時間／周波数情報（円で囲まれた数字「１」により示された）を含む。レガシーＳＩＢである第１のＳＩＢは、それがＭＴＣデバイスにより読み出されうるように周波数リソースを割り当てられる。第１のＳＩＢは、ＲＡＣＨ時間／周波数グリッドおよびＲＡＣＨ署名等の情報を含む。
【００９９】
別の態様において、ＭＩＢ１５０１は、リソースブロック（またはある特定のリソースブロック内の部分集合のリソースエレメント）の位置および／あるいはある特定のサブフレームにおいて送信される特定のＭ−ＳＩＢに割り当てられたＭＣＳをＭＴＣデバイスに通知する時間／周波数情報（円で囲まれた数字「２」により示された）を含む。
【０１００】
さらに別の態様において、ＭＩＢ１５０１は、リソースブロックの位置および／または特定のＭ−セルに割り当てられたＭＣＳをＭＴＣデバイスに通知する時間／周波数情報（円で囲まれた数字「３」により示された）を含む。この情報を備えることで、ＭＴＣデバイスは、Ｍ−セルと関連付けられたＭ−ＭＩＢおよび／またはＭ−ＳＩＢの位置を判定できる（例えば、標準化を介して）。
【０１０１】
さらに別の態様において、ＭＩＢ１５０１は、接続設定のためにＭＴＣデバイスが使用する時間／周波数グリッドにおいてＭＴＣ特有のＲＡＣＨシーケンスおよび／またはＲＡＣＨ領域の集合を含む。第１の変形例（円で囲まれた図中符号「４ａ」により示された）において、ＭＴＣデバイスは、標準化された時間／周波数位置に配置されるホストシステムの標準的なＲＡＣＨを使用している。従って、ＭＩＢ１５０１は、必ずしも位置情報をＭＴＣデバイスに提供しなくてもよいが、少なくともＲＡＣＨを介して接続設定を実行する際に使用されるべきＭＴＣ特有のＲＡＣＨシーケンスを含む。第２の変形例（円で囲まれた図中符号「４ｂ」により示された）において、ＭＴＣデバイスは、ＭＴＣ特有のＲＡＣＨを使用している。従って、ＭＩＢは、少なくとも接続設定のためにＭＴＣデバイスが使用する時間／周波数グリッドにおいてＲＡＣＨ領域を含む。上述したように、ＭＴＣデバイスは、ノードからの更なる支援なしでＲＡＣＨ手順の間に使用するためのＲＡＣＨシーケンスを導出できてもよい。あるいは、ＭＩＢは、このＭ−ＲＡＣＨシーケンスをＭＴＣデバイスにさらに供給してよい。
【０１０２】
別の態様（円で囲まれた数字「５」により示された）において、ＭＩＢ１５０１は、ホストシステム自身の（レガシー）ＰＤＣＣＨ位置とは異なるホストシステムの無線周波数スペクトルの領域を占有すべき特定のＭ−ＰＤＣＣＨに割り当てられたリソースブロック、基準信号シーケンスまたは検索空間を示す。Ｍ−ＰＤＣＣＨは、ＭＴＣ特有のＳＩＢまたはＳＩＢを指し示すダウンリンク割り当てを含む制御情報をＭＴＣデバイスに供給する。
【０１０３】
さらに別の態様（必要以上の混乱を回避するために図示されない）において、ＭＩＢ１５０１は、デバイスが上述のシステム情報を発見するためにブラインド復号化を実行できる種々のリソースブロックおよび／またはＭＣＳ割り当ての集合を直接または間接的に参照することを含む。
【０１０４】
図１６は、本発明の種々の態様を実行するシステム要素を示すブロック図である。特に、ネットワークノード１６０１（例えば、上述の機能性を実行できるように構成されたｅＮｏｄｅＢ）は、ホストセル、並びに上述の１つ以上のＭ−セルを提供する信号を送出および受信できる送受信機１６０３に結合される。ネットワークノード１６０２は、ノードにより行われた動作に関連して上述したＭＴＣに関連した態様のうちのいずれか１つまたは何らかの組合せを実行するように構成された回路網を含む。例えばそのような回路網は、完全にハードワイヤード回路網（例えば、１つ以上の特定用途向け集積回路「ＡＳＩＣ」）であってよい。しかし、図１６の例示的な実施形態において示されるのは、１つ以上のメモリ素子１６０７（例えば、ランダムアクセスメモリ、磁気ディスクドライブ、光ディスクドライブ、読み出し専用メモリ等）およびネットワークインタフェース１６０９に結合されたプロセッサ１６０５を備えるプログラマブル回路網である。メモリ素子１６０７は、上述のノードに関連した態様のうちのいずれかを実行するように他のノード要素をプロセッサ１６０５が制御するように構成されたプログラム手段１６１１（例えば、プロセッサ命令の集合）を格納する。メモリ素子１６０７は、プログラム手段１６１１により特定されたような機能を実行する際にプロセッサ１６０５により必要とされてもよいような種々の定数パラメータおよび変数パラメータを示すデータ（不図示）も格納してもよい。ネットワークインタフェース１６０９により、ノード１６０１は、通信システムにおいて他のノード（不図示）と通信できる。
【０１０５】
図１７は、上述の例において使用されたＭＴＣデバイス等の限定帯域幅通信デバイス１７００を示すブロック図である。限定帯域幅通信デバイスは、限定帯域幅通信デバイス１７０１が特定用途向け機能（例えば、ある種のセンサとして動作する）を実行し、且つ通信デバイスとしても動作できるようにする（例えば、センサデータをサーバに通信し且つ場合によってはさらに命令を受信できる）他のユーザ機器（ＵＥ）回路網／ハードウェアコンポーネント１７０５に結合されたコントローラ１７０３を備える。他のＵＥ回路網／ハードウェアコンポーネント１７０５は、一般に当該技術分野において知られており、１つ以上のアンテナ１７０９および（選択的に）センサ回路網１７１１（例えば、温度センサ、音響センサ、磁場センサ等）に結合された無線回路網１７０７等の要素を例として且つ無制限に含んでもよい。他のＵＥ回路網／ハードウェアは、ある種のユーザインタフェース（例えば、ディスプレイ、キーボード、スイッチ）１７１３も備えてもよいが、限定帯域幅通信デバイスの使用を必要とする適応例は、ユーザインタフェース１７１３（例えば、リセットスイッチ）に対する非常に単純な必要性を有してもよく、あるいは全く有さなくてもよい。
【０１０６】
コントローラ１７０３は、ＭＴＣデバイスの動作に関連して上述したＭＴＣに関連した態様のうちのいずれか１つまたは何らかの組合せを実行するように構成された回路網を含む。例えばそのような回路網は、完全にハードワイヤード回路網（例えば、１つ以上のＡＳＩＣ）であってよい。しかし、図１７の例示的な実施形態において示されるのは、１つ以上のメモリ素子１７１７（例えば、ランダムアクセスメモリ、磁気ディスクドライブ、光ディスクドライブ、読み出し専用メモリ等）に結合されたプロセッサ１７１５を備えるプログラマブル回路網である。メモリ素子は、上述のＭＴＣデバイスに関連した態様のうちのいずれかを実行するように他のＵＥ回路網／ハードウェアコンポーネント１７０５をプロセッサ１７１５が制御するように構成されたプログラム手段１７１９（例えば、プロセッサ命令の集合）を格納する。メモリ１７１７は、プログラム手段１７１９により特定されたような機能を実行する際にプロセッサ１７１５により必要とされてもよいような種々の定数パラメータおよび変数パラメータを示すデータ１７２１も格納してもよい。
【０１０７】
上述の本発明に則した実施形態の種々の態様は、狭い帯域幅だけをサポートする通信デバイスがより高い帯域幅を有するネットワークに接続し且つそこで動作できないという問題に対する解決策を提供する。種々の態様は、周波数分割二重通信（ＦＤＤ）および時分割二重通信（ＴＤＤ）の動作の双方に対して適用可能である。
【０１０８】
Ｍ−セル概念の１つの利点は、システムが、提供されたレガシデバイスの数とＭＴＣデバイスの数との現在のバランスを一致させるために、Ｍ−セルの数を動的に調整してもよいということである。図８および図９に関連して示されたような実施形態は、ホストシステムがＭ−セルを１つずつ追加して最大の柔軟性を提供できるようにする。図１０〜図１２に関連して示されたような実施形態において、サブフレーム全体は、より少ない粒度を提供するが、レガシー（ホストセル）ＰＤＣＣＨ送信のためにリソースエレメントが予約される必要がないために同時に潜在的により高い効率性を可能にするＭ−セルに割り当てられる。これらの実施形態の組合せを使用するシステムは、双方の実施形態の利点を利用してもよい。
【０１０９】
特定の実施形態を参照して本発明を説明した。しかし、上述した実施形態の形式以外の特定の形式で本発明を実施できることは、当業者には容易に明らかとなるだろう。
【０１１０】
例えば、示された例示的な実施形態のうちのいくつかは、レガシーシステムの（例えば、ＬＴＥシステムの）割り当てられた無線周波数帯域の帯域幅内に周波数毎に配置される無線周波数スペクトルの帯域幅を占有するＭ−セルを示す。（例えば、ホストセルシステムＢＷ９０１内に周波数毎に配置されるＭ−セルシステムＢＷ９０３を参照されたい。）しかし、示された種々のステップおよび他の図面に示された回路網、並びに対応するテキストは、これを本発明に則した実施形態の必須の特徴としないことがさらに理解される。逆に、レガシシステム（種々の制御チャネルを含む）は、いくつかの実施形態において、無線周波数スペクトルの第１の帯域幅より広くない帯域幅にわたってよい一方で、Ｍ−セルエンティティ（種々のＭ−セル制御チャネル、ランダムアクセスチャネル等を含む）は、第２の帯域幅の周波数毎の位置が第１の帯域幅の周波数毎の位置内にあるかに関して何の制約もなく、無線周波数スペクトルの第２の帯域幅（第２の帯域幅は第２の帯域幅より狭い）より広くない帯域幅にわたってよい。例えば、種々のＭ−セルエンティティのうちの１つ以上は、いくつかの実施形態において、レガシー通信システムが使用を許可される無線周波数帯域の完全に外側にある。（例えば、Ｍ−セル＃１およびＭ−セル＃ｎ等の他のＭ−セルが、それらがホストシステムの周波数毎の帯域幅の位置内に周波数毎に配置されるか否かに関して全く制約を設けずに中央の７２個のサブキャリアからのある距離に周波数毎に配置される間、ホストシステムの中央の７２個のサブキャリア内にあるＭ−セル＃ｍを示す図１１を参照されたい。）。
【０１１１】
従って、説明された実施形態は、例示にすぎず、何らかの方法で制限するものとして考えられるべきではない。本発明の範囲は、先の説明ではなく添付の特許請求の範囲により与えられ、特許請求の範囲の範囲内の全ての変形例および等価物は、特許請求の範囲に含まれることを意図する。
【図１】
2014526159.tif 000003
【図２】
2014526159.tif 000004
【図３】
2014526159.tif 000005
【図４】
2014526159.tif 000006
【図５ａ】
2014526159.tif 000007
【図５ｂ】
2014526159.tif 000008
【図６】
2014526159.tif 000009
【図７】
2014526159.tif 000010
【図８】
2014526159.tif 000011
【図９】
2014526159.tif 000012
【図１０】
2014526159.tif 000013
【図１１】
2014526159.tif 000014
【図１２】
2014526159.tif 000015
【図１３】
2014526159.tif 000016
【図１４】
2014526159.tif 000017
【図１５】
2014526159.tif 000018
【図１６】
2014526159.tif 000019
【図１７】
2014526159.tif 000020
【国際調査報告】
2014526159.tif 000021
2014526159.tif 000022
2014526159.tif 000023
2014526159.tif 000024
2014526159.tif 000025